(57)【特許請求の範囲】
【請求項１】
ユーザ機器（ＵＥ）における使用のための装置であって、
セカンダリ変調符号化方式テーブル（セカンダリＭＣＳテーブル）が用いられるという指示を含む無線リソース制御レイヤメッセージ（ＲＲＣレイヤメッセージ）をデコードする手段であって、前記セカンダリＭＣＳテーブルは、２５６直交振幅変調（ＱＡＭ）方式に対応するエントリを有する、手段と、
物理ダウンリンク制御チャネル（ＰＤＣＣＨ）におけるダウンリンク制御情報（ＤＣＩ）をデコードする手段であって、前記ＤＣＩは、ＤＣＩフォーマットを有する、手段と、
デフォルトＣＱＩテーブルに従ってチャネル品質指標（ＣＱＩ）を決定する手段と、
前記ＤＣＩフォーマットがＤＣＩフォーマット１Ａとは異なる場合に、前記指示に基づいて、前記セカンダリＭＣＳテーブルを選択する手段と、
前記ＤＣＩフォーマットがＤＣＩフォーマット１Ａである場合に、前記指示に関わらずデフォルトＭＣＳテーブルを選択する手段と、
セカンダリＣＱＩテーブルに従ってＣＱＩを決定する手段であって、前記セカンダリＣＱＩテーブルは、２５６ＱＡＭ方式に対応するエントリを有する、手段と、を備える
装置。
【請求項２】
前記デフォルトＭＣＳテーブルに従ってＭＣＳを決定する手段と、
前記セカンダリＭＣＳテーブルに従ってＭＣＳを決定する手段と、をさらに備える、
請求項１に記載の装置。
【請求項３】
前記デフォルトＭＣＳテーブルおよび前記セカンダリＭＣＳテーブルのうちの前記選択された１つを使用して、物理ダウンリンク共有チャネル（ＰＤＳＣＨ）データをデコードする手段をさらに備える
請求項１または２に記載の装置。
【請求項４】
前記指示は、前記セカンダリＭＣＳテーブルの選択を示す値を含む
請求項１から３のいずれか１項に記載の装置。
【請求項５】
得られた前記ＤＣＩは、使用のための前記デフォルトＭＣＳテーブルおよび前記セカンダリＭＣＳテーブルのうちの前記選択された１つのエントリを示す変調符号化方式の値を含む
請求項１から４のいずれか１項に記載の装置。
【請求項６】
前記デフォルトＭＣＳテーブルは、前記ＤＣＩフォーマットがＤＣＩフォーマット１Ａである場合に選択される
請求項１から５のいずれか１項に記載の装置。
【請求項７】
前記指示に少なくとも部分的に基づいて、前記デフォルトＣＱＩテーブルおよび前記セカンダリＣＱＩテーブルのうちの１つを選択する手段をさらに備える
請求項１から６のいずれか一項に記載の装置。
【請求項８】
前記デフォルトＣＱＩテーブルおよび前記セカンダリＣＱＩテーブルのうちの前記選択された１つに基づいて、ＣＱＩ報告を生成する手段をさらに備える
請求項７に記載の装置。
【請求項９】
無線通信の方法であって、
セカンダリ変調符号化方式テーブル（セカンダリＭＣＳテーブル）が用いられるという指示を含む無線リソース制御レイヤメッセージ（ＲＲＣレイヤメッセージ）をデコードする段階であって、前記セカンダリＭＣＳテーブルは、２５６直交振幅変調（ＱＡＭ）方式に対応する少なくとも１つのエントリを有する、段階と、
物理ダウンリンク制御チャネル（ＰＤＣＣＨ）上のダウンリンク制御情報（ＤＣＩ）をデコードする段階であって、前記ＤＣＩは、ＤＣＩフォーマットを有する、段階と、
デフォルトＣＱＩテーブルに従ってチャネル品質指標（ＣＱＩ）を決定する段階と、
前記ＤＣＩフォーマットがＤＣＩフォーマット１Ａである場合に、前記指示に関わらずデフォルトＭＣＳテーブルを選択する段階と、
前記ＤＣＩフォーマットがＤＣＩフォーマット１Ａとは異なる場合に、前記指示に基づいて前記セカンダリＭＣＳテーブルを選択する段階と、
セカンダリＣＱＩテーブルに従ってＣＱＩを決定する手段であって、前記セカンダリＣＱＩテーブルは、２５６ＱＡＭ方式に対応するエントリを有する、段階と、
前記選択されたＭＣＳテーブルを使用して、物理ダウンリンク共有チャネル（ＰＤＳＣＨ）データをデコードする段階と、を備える
方法。
【請求項１０】
前記ＤＣＩは、前記選択されたＭＣＳテーブルのエントリを示すＭＣＳ値を含む
請求項９に記載の方法。
【請求項１１】
前記指示に少なくとも部分的に基づいて、前記デフォルトＣＱＩテーブルおよび前記セカンダリＣＱＩテーブルのうちの１つを選択する段階と、
前記デフォルトＣＱＩテーブルおよび前記セカンダリＣＱＩテーブルのうちの前記選択された１つに基づいて、ＣＱＩ報告を生成する段階と、を備える
請求項９または１０に記載の方法。
【請求項１２】
請求項９から１１のいずれか１項に記載の方法を、機械に実行させるためのプログラム。
【請求項１３】
請求項１２に記載のプログラムを格納する機械可読記憶媒体。
【発明の詳細な説明】
【技術分野】
【０００１】
＜関連出願＞
本願は、米国仮特許出願第６１／９２４，１９４号（出願日：２０１４年１月６日、整理番号Ｐ６３３５９Ｚ）の米国特許法第１１９条（ｅ）による利益を主張する。当該仮出願はすべて、参照により本願に組み込まれる。
【０００２】
本開示は、モバイルネットワーク上の通信についての変調符号化方式の選択および設定に関する。
【図面の簡単な説明】
【０００３】
【図１】無線通信用のシステムの例を示す概略図である。
【０００４】
【図２】ユーザ機器（ＵＥ）の構成要素の例を示す概略ブロック図である。
【０００５】
【図３】基地局の構成要素の例を示す概略ブロック図である。
【０００６】
【図４】不明確期間を説明するための概略ブロック図である。
【０００７】
【図５】チャネル品質指標を決定して報告する方法を説明するための概略フローチャート図である。
【０００８】
【図６】無線通信のための変調符号化方式を設定する方法を説明するための概略フローチャート図である。
【０００９】
【図７】チャネル品質を示す方法を説明するための概略フローチャート図である。
【００１０】
【図８】不明確期間において変調符号化方式を設定するための方法を示す概略フローチャート図である。
【００１１】
【図９】一例に係る無線デバイス（例えば、ＵＥ）を示す図である。
【発明を実施するための形態】
【００１２】
本開示の実施形態に係るシステムおよび方法を以下で詳細に説明する。幾つかの実施形態を説明するが、本開示は任意の一実施形態に限定されるものではなく、数多くの代替例、変形例および均等例を含むものと理解されたい。さらに、本明細書で開示する実施形態を完全に理解していただくべく数多く具体的且つ詳細な内容を以下の説明で記載するが、一部の実施形態はそのような詳細な内容の一部または全てを採用することなく実施されるとしてよい。また、明確に説明するべく、関連技術分野で公知の技術内容は、本開示を不要にあいまいにすることを避けるべく詳細な説明を省略する。
【００１３】
無線モバイル通信技術はさまざまな規格およびプロトコルを利用して、ノード（例えば、送信局または送受信ノード）と、無線デバイス（例えば、モバイル通信デバイス）との間でデータ送信を実現する。一部の無線デバイスは、ダウンリンク（ＤＬ）送信において直交周波数分割多重アクセス（ＯＦＤＭＡ）を利用し、アップリンク（ＵＬ）送信においてシングルキャリア周波数分割多重アクセス（ＳＣ−ＦＤＭＡ）を利用して通信を行う。信号送信に直交周波数分割多重（ＯＦＤＭ）を利用する規格およびプロトコルには、第３世代パートナーシッププロジェクト（３ＧＰＰ）ロングタームエボリューション（ＬＴＥ）Ｒｅｌ．８、９および１０、業界団体では一般的にＷｉＭＡＸ（ワールドワイド・インターオペラビリティ・フォー・マイクロウェーブ・アクセス）として知られている米国電気電子学会（ＩＥＥＥ）８０２．１６規格（例えば、８０２．１６ｅ、８０２．１６ｍ）、業界団体では一般的にＷｉＦｉとして知られているＩＥＥＥ８０２．１１−２０１２規格がある。
【００１４】
３ＧＰＰ無線アクセスネットワーク（ＲＡＮ）ＬＴＥシステムにおいては、ノードは、エボルブド・ユニバーサル・テレストリアル・ラジオ・アクセス・ネットワーク（Ｅ−ＵＴＲＡＮ）Ｎｏｄｅ  Ｂ（また、ｅｖｏｌｖｅｄ  Ｎｏｄｅ  Ｂ、ｅｎｈａｎｃｅｄ  Ｎｏｄｅ  Ｂ、ｅＮｏｄｅＢまたはｅＮＢとも一般的に呼ばれる）およびラジオ・ネットワーク・コントローラ（ＲＮＣ）の組み合わせであってよい。ノードは、ユーザ機器（ＵＥ）として知られている無線デバイスと通信する。ＤＬ送信は、ノード（例えば、ｅＮＢ）から無線デバイス（例えば、ＵＥ）への通信であってよく、ＵＬ送信は無線デバイスからノードへの通信であってよい。
【００１５】
同種ネットワークでは、ノードは、マクロノードまたはマクロセルとも呼ばれ、セル内の複数の無線デバイスに対して基本無線カバレッジを提供するとしてよい。セルは、複数の無線デバイスが一のマクロノードと通信するべく動作可能なエリアであってよい。異種ネットワーク（ＨｅｔＮｅｔ）は、無線デバイスの利用および機能の増加にしたがって増加した、マクロノードに対するトラフィック負荷に対処するために用いられるとしてよい。ＨｅｔＮｅｔは、計画的に設けられる高電力のマクロノード（マクロｅＮＢまたはマクロセル）のレイヤに、マクロノードのカバレッジエリア（セル）内で比較的計画性なく配置される、または、全く協調を考慮することなく配置される相対的に低電力のノード（スモールセル、スモールｅＮＢ、ミクロｅＮＢ、ピコｅＮＢ、フェムトｅＮＢ、または、ホームｅＮＢ（ＨｅＮＢ））のレイヤが複数重ねられているとしてよい。相対的に低電力のノードは一般的に、「スモールセル」、「スモールノード」または「低電力ノード」と呼ばれるとしてよい。
【００１６】
カバレッジおよび／またはロード容量を増やすことに加えて、スモールセルの幾つかの配置例においてＵＥをノードに近接させ、好ましい配置とすることによって、ＤＬ送信についてより高次の変調（ＨＯＭ）方式を利用できるようになる可能性が生じる。例えば、３ＧＰＰにおける現在の変調方式は、６４直交振幅変調（ＱＡＭ）が最高であるが、近接性および配置を改善することで２５６ＱＡＭが可能になるとしてよい。しかし、このように追加の変調方式をサポートするためには、いくつかの提案された方法によると、２５６ＱＡＭの変調符号化方式（ＭＣＳ）を示すべくダウンリンク制御シグナリングフォーマットを変更し、および、２５６ＱＡＭに対応するリンク品質のチャネル品質指標（ＣＱＩ）を報告するためのアップリンク制御情報（ＵＣＩ）シグナリングフォーマットを修正することが必要になるとしてよい。ダウンリンクおよびアップリンクの制御情報の対応するフィールドにおいて追加ビットを追加することによって既存のシグナリングをそのまま拡張することは望ましい方法ではない場合がある。これは、シグナリングオーバーヘッドが追加され、一部のアップリンク制御メッセージ（例えば、物理アップリンク制御チャネル（ＰＵＣＣＨ））のアップリンクカバレッジにマイナスの影響が出る可能性があるためである。
【００１７】
無線通信システムは、現在のチャネル状況に応じてＭＣＳを適応的に変更させることで、スループットが増加し、パケット送信遅延が減少するなど、性能が大幅に改善され得る。例えば、ＭＣＳは、どのＭＣＳを利用すべきか判断する際に、信号ノイズ比（ＳＮＲ）または信号対干渉ノイズ比（ＳＩＮＲ）を考慮するとしてよい。ＭＣＳを適応的に選択することは、適応型変調符号化（ＡＭＣ）と呼ばれることが多い。
【００１８】
ＬＴＥでは現在、ＵＥは現在のチャネル状況を評価し、現在の状況に対応するＣＱＩ値を選択する。１６個のＭＣＳを含む４ビットＣＱＩテーブルが、３ＧＰＰ  ＴＳ３６．２１３の仕様書のテーブル７．２．３−１で定義されている。ＵＥは、１６個のＭＣＳのうち、現在のダウンリンクチャネル状況に最も適切（または、サポート可能なもののうち最も高次）と考えられる１つのＭＣＳを選択する。ＵＥは、選択されたＣＱＩ値を、選択されたＭＣＳに対応するｅＮＢに提供する。１６個のＭＣＳのそれぞれについてのＣＱＩインデックスは、ＣＱＩテーブルで定義されている。
【００１９】
この後ｅＮＢは、ＣＱＩインデックスを利用して通信、例えば、物理ダウンリンク共有チャネル（ＰＤＳＣＨ）送信のためのＭＣＳを選択する。ｅＮＢは、３ＧＰＰ  ＴＳ  ３６．２１３のテーブル７．１．７．１−１で定義されているＭＣＳテーブルからＭＣＳを選択する。選択されたＭＣＳに対応するＭＣＳインデックス（ＩＭＣＳ）は、物理ダウンリンク制御チャネル（ＰＤＣＣＨ）でＵＥに伝達され、当該ＭＣＳを対応する通信について利用する。ＵＥは、ダウンリンク制御情報（ＤＣＩ）フォーマットで受信した値ＩＭＣＳを、仕様に含められたテーブル（具体的にはテーブル７．１．７．１−１）と共に用いて、ＰＤＳＣＨで利用されるトランスポートブロックサイズ（ＴＢＳ）および変調次数（Ｑｍ）を決定する。ＵＥはこの後、決定した変調次数およびトランスポートブロックサイズに基づいてＰＤＳＣＨを受信してデコードするとしてよい。
【００２０】
上記で言及したように、スモールセルを配置することで、セル分割ゲインによるＬＴＥシステムの容量の改善が期待され、ＰＤＳＣＨについて例えば２５６ＱＡＭ等のＨＯＭが利用可能となる。しかし、現在（またはレガシー）ＣＱＩテーブル（テーブル７．２．３−１）および現在（またはレガシー）ＭＣＳテーブル（７．１．７．１−１）がサポートするのは最大で６４ＱＡＭに過ぎない。このため、新バージョンのＬＴＥ仕様において２５６ＱＡＭといったより高次のＭＣＳをサポートするためには、新しいＣＱＩテーブルおよび新しいＭＣＳテーブルを定義する必要がある。本明細書で用いる場合、「ＨＯＭ−ＣＱＩテーブル」および「ＨＯＭ−ＭＣＳテーブル」という用語は、２５６ＱＡＭをサポートする新しいテーブルまたは改良されたテーブルを言及する際に用いられるとしてよい。現在のＣＱＩテーブルおよび現在のＭＣＳテーブルを修正すると、ＨＯＭ−ＣＱＩテーブルおよびＨＯＭ−ＭＣＳテーブルの存在を認識していないレガシーＵＥおよびレガシーｅＮＢが動作できなくなることに留意されたい。
【００２１】
上記に基づき本開示を鑑みれば、既存のＭＣＳテーブルおよびＣＱＩテーブルを２５６ＱＡＭに対応するエントリを追加して単純に拡張するためにはＩＭＣＳパラメータおよびＣＱＩパラメータのそれぞれについて追加ビットが必要になることが分かる。しかし、このように変更するにはダウンリンクおよびアップリンクの制御シグナリングフォーマットを変更する必要がある。本開示では、基地局とＵＥとの間で、２５６ＱＡＭシグナリングを実現可能とする、および／または、設定するためのさまざまな方法を提案する。一実施形態では、ＩＭＣＳおよびＣＱＩを示すために用いるテーブルのサイズを変えないので、新しいＤＣＩフォーマットおよびＣＱＩレポート報告形式を定義する必要はない。一実施形態において、ＣＱＩテーブルおよびＭＣＳテーブルのセットを２つ定義する。
【００２２】
一実施形態において、ＵＥは、テーブル部、テーブル選択部、制御情報部および通信部を備える。テーブル部は、複数の利用可能な変調方式についてのエントリを持つテーブルを２またはそれ以上保持するように構成されている。２またはそれ以上のテーブルには、デフォルトテーブル（例えば、レガシーＣＱＩテーブルまたはＭＣＳテーブル）およびセカンダリテーブル（例えば、ＨＯＭ−ＣＱＩテーブルまたはＨＯＭ−ＭＣＳテーブル）が含まれるとしてよい。デフォルトテーブルおよびセカンダリテーブルは同数のエントリを含む。セカンダリテーブルは、２５６ＱＡＭ方式に対応するエントリを含むとしてよい。テーブル選択部は、デフォルトテーブルおよびセカンダリテーブルのうち１つから選択テーブルを選択するように構成されている。テーブル選択部は、デフォルトとしてデフォルトテーブルを利用し、例えば、無線リソース制御（ＲＲＣ）レイヤシグナリングまたは媒体アクセス制御（ＭＡＣ）レイヤシグナリングを用いてセカンダリテーブルの選択を指示するｅＮＢからのメッセージングに応じて、セカンダリテーブルを選択する。テーブル選択部はさらに、ｅＮＢから受信する制御情報についての制御情報フォーマットに基づきデフォルトテーブルを選択するように構成されている。制御情報部は、選択テーブルのＭＣＳを示す制御情報を受信するように構成されており、通信部は、選択テーブルのＭＣＳに基づきｅＮＢからの通信を受信して処理するように構成されている。
【００２３】
一部の実施形態において、本開示によれば、ＵＥまたはｅＮＢは、ダウンリンクおよびアップリンクの制御チャネルについて、シグナリングフォーマットを変更することなく、あらゆる変調方式を（ＱＰＳＫから２５６ＱＡＭまで）サポートできる（つまり、新しいＤＣＩフォーマットおよびＵＣＩフォーマットは無い）。さらに、提案された実施形態によれば、ダウンリンクチャネルの状況に応じて、レガシーテーブルとＨＯＭテーブルとの間で効率的に切り替えを行うことができる。例えば、ＵＥのチャネル状況が急激に悪くなるといった状況に対してロバストである。一実施形態において、提案しているＭＣＳインデックス付与方法によれば、ｅＮＢはＰＤＳＣＨ送信のためのＭＣＳをより柔軟に選択することができ、ＲＲＣ不明確期間またはＭＣＳ不明確期間においてテーブルの不一致が発生する可能性がなくなる。一実施形態において、ＨＯＭ−ＣＱＩテーブルについて、開示しているインデックス付与ルールに基づき、差分ＣＱＩ報告が可能である。さらに、一実施形態では、ＨＯＭ用に構成されているＵＥの最大ソフトバッファメモリサイズの利用が可能である。これによって、追加の符号化ゲインにより性能が改善され得る。
【００２４】
本明細書で用いられる場合、「ノード」および「セル」という用語はともに、同義語として意図されており、複数のＵＥと通信するよう動作することが可能な無線送信ポイント、例えば、ｅＮＢ、低電力ノードまたはその他の基地局を意味する。
【００２５】
図１は、ＲＡＮにおけるノードを示す概略図である。ＲＡＮは、マクロセルカバレッジエリア１０４内で無線通信サービスを提供するｅＮＢ１０２を含む。マクロセルカバレッジエリア１０４内には、２つのスモールセル１０６、１０８があり、マクロセルからスモールセル１０６、１０８へのオフロードを可能とすることで、高使用率エリアにおける容量を改善するために用いられるとしてよい。カバレッジエリア１０４の端に存在するものとして、別のスモールセル１１０を示す。スモールセル１０６、１０８および１１０は、図１に示すように、マクロセルカバレッジエリア１０４内、そして、マクロセルカバレッジエリア１０４間の境界の端において、カバレッジホールを埋めるために用いられ得るスモールセルカバレッジエリア１１４においてカバレッジを提供する。ｅＮＢ１０２ならびにスモールセル１０６、１０８および１１０は、１または複数のＵＥ１１２に対して通信サービスを提供する。一実施形態において、ｅＮＢ１０２ならびにスモールセル１０６、１０８および１１０は、矢印１１６で示すように、通信、ハンドオーバー、およびその他の通信サービスを互いに協調して行う。
【００２６】
ｅＮＢ１０２のマクロセルカバレッジエリア１０４内には３つのスモールセル１０６、１０８、１１０を図示しているが、マクロセルのカバレッジエリアは数百個のスモールノードを含むとしてよい。例えば、ＨｅＮＢとして構成されているスモールノードは、一のマクロノードのカバレッジエリア内にある数百軒もの家庭に設置されているとしてよい。同様に、一のＲＡＮには、スモールセルが高密度および低密度の両方で配置されているとしてよい。一実施形態において、スモールセル１０６、１０８、１１０のうち１または複数は、マクロノードとは無関係に配置されている。同様に、スモールセルのうち１または複数は、マクロノードのカバレッジエリア１０４とは重ならないように配置されるとしてもよい。
【００２７】
一実施形態によると、ｅＮＢ１０２、または、マクロセルおよびスモールセル１０６、１０８および１１０用の他のコントローラは、ＵＥ１１２と通信するために用いられるＭＣＳを変更するように構成されている。例えば、特定のＵＥ１１２と通信するために用いられるＭＣＳは、現在のチャネル品質に基づいて異なるとしてよい。上述したように、距離が短くなり配置が改善されると、ＵＥ１１２は、マクロセル内よりは、スモールセル内でＨＯＭ方式を利用して通信することが可能になるとしてよい。一実施形態において、ＵＥ１１２およびｅＮＢ１０２（または、他のＲＮＣ）は、ＭＣＳを選択または指定するために別のテーブルを保持または設定する。例えば、ｅＮＢ１０２は、レガシーテーブルに代わって用いられる新しいテーブルを設定するメッセージをＵＥ１１２に送信するとしてよい。新しいテーブルは、レガシーテーブルよりも高いスペクトル効率のＭＣＳを含むとしてよい。ＵＥ１１２は、ＣＱＩを送信するために、そして、受信した通信をどのＭＣＳを用いて処理するべきかを示す指示を解釈するためにどのテーブルを用いるかを決定するとしてよい。より詳しい動作および例については、以降の図面を参照しつつ説明する。
【００２８】
図２は、ＵＥ１１２の一実施形態を示す概略ブロック図である。ＵＥ１１２は、テーブル部２０２、テーブル選択部２０４、制御情報部２０６、チャネル評価部２０８、ソフトバッファ２１０、ソフトバッファサイズ部２１２および通信部２１４を備える。構成要素２０２−２１４は、一例に過ぎず、すべての実施形態にすべてが含まれることはないとしてよい。一部の実施形態は、構成要素２０２−２１４のうちいずれか１つ、または、これらのうち２またはそれ以上の任意の組み合わせを含むとしてよい。
【００２９】
テーブル部２０２は、複数のテーブルを格納または保持するように構成されている。一実施形態において、テーブル部２０２は、変調方式、コーディングレート、トランスポートブロックサイズ等の選択および指示のためのテーブルを保持するように構成されている。一実施形態において、テーブル部２０２は、同じ目的で利用される２つの異なるテーブルを保持する。例えば、テーブル部２０２は、デフォルトテーブル、および、デフォルトテーブルに代えて用いられ得るセカンダリテーブルを格納しているとしてよい。デフォルトテーブルは、通信規格の旧バージョン、または、モバイルネットワークを利用する一部のＵＥ１１２が利用可能な変調方式に対応するとしてよい。例えば、複数の種類およびバージョンのＵＥ１１２を用いてモバイルネットワークにアクセスするとしてよく、複数の異なる種類およびバージョンはそれぞれ、ピークデータレートまたは変調次数機能が異なるとしてよい。一実施形態において、所与のセルにおける所与のサブフレームにおいて、特定のＵＥについてはこれらのテーブルのうち１つのみが利用される。例えば、所与のサブフレーム内の全てのＰＤＳＣＨは、特定のＵＥについて同じテーブルに基づいて解釈されるとしてよい。
【００３０】
各テーブルは、ＵＥ１１２またはｅＮＢ１０２によって用いられ得る複数の異なる変調方式に対応して複数のエントリを持つとしてよい。一実施形態において、各テーブルのエントリの数は、互いに代用できるように、同じとする。一実施形態において、セカンダリテーブルのエントリの数は、デフォルトテーブルのエントリの数と等しいかそれ未満である。一実施形態において、デフォルトテーブルは、所属しているＵＥ１１２ならどれでも利用可能な方式を含む一方、セカンダリテーブルは、特定のＵＥ１１２のみが利用可能なより高次の変調または方式を含む。一実施形態において、セカンダリテーブルは、デフォルトテーブルのどの方式よりも高次のＨＯＭである変調方式を含む。例えば、デフォルトテーブルにおける最も高次の変調が６４ＱＡＭである一方、セカンダリテーブル内の最も高次の変調は２５６ＱＡＭであってよい。
【００３１】
本開示では変調方式を格納、設定および／または選択するためのテーブルについて説明するが、マトリクス、アレイ等の他の種類のデータ構造またはデータ編成ユニットを利用し得ると理解されたい。例えば、ＭＣＳの選択および設定のために選択が可能な変調セット（例えば、デフォルト変調セットおよびセカンダリ変調セット）を含む任意のデータ構造を利用するとしてもよい。
【００３２】
一実施形態において、デフォルトテーブルおよびセカンダリテーブルは、多くの共有エントリを持つ。共有エントリは、同じ変調方式に対応するとしてよく、少なくとも一部の変調方式は両テーブルで共通である。一実施形態において、複数の共有エントリのインデックス付与または配列は、同じＭＣＳに対応するエントリが同じ位置になるか、または、同じインデックスを持つようにする。同じＭＣＳについて同様にインデックス付与することによって、ＲＲＣまたはＭＣＳが不明確になるという問題が発生する可能性を回避することができ、これについてはさらに以下で説明する。一実施形態において、セカンダリテーブルおよびデフォルトテーブルは、１または複数の非共有エントリを持つ。例えば、セカンダリテーブルのあるエントリは、デフォルトテーブルからは利用できないＨＯＭ方式に対応するとしてよい。同様に、デフォルトテーブルは、セカンダリテーブルからは利用できない変調方式を含むとしてよい。複数の非共有エントリの順序は、互いに相対的に決めるとしてよい。例えば、デフォルトテーブル内の非共有エントリは、デフォルトテーブルの非共有エントリおよび共有エントリの両方にわたって、昇順または降順で並べられているとしてよい。一例として、ＣＱＩ値またはＩＭＣＳ値は、両テーブルにおいて、同じＭＣＳについて同一であってよい。一実施形態において、セカンダリテーブルの非共有エントリは、共有エントリに対して昇順または降順にはなっておらず、他の共有エントリと相対的に順序決めされている。例えば、複数の非共有エントリは、昇順または降順で、または、任意の他のルールに基づいて、トランスポートブロックサイズおよび／または変調次数に基づいて、互いに相対的に並べられているとしてよい。
【００３３】
一実施形態において、テーブル部２０２は、ＭＣＳテーブルを格納または保持する。ＭＣＳテーブルは、ＭＣＳインデックスであるＩＭＣＳに基づき変調次数（Ｑｍ）およびトランスポートブロックサイズ（ＩＴＢＳを用いる）を選択するべく用いられるテーブルを含むとしてよい。ＭＣＳテーブルの一例は、３ＧＰＰ  ＴＳ  ３６．２１３で定義されているＰＤＳＣＨ用の変調ＴＢＳインデックステーブル（テーブル７．１．７．１−１）を含む。当該テーブルは先述しており、以下で表１として示す。
【表１】
0006578564.tif 000002
【００３４】
表１は、変調次数（Ｑｍ）およびトランスポートブロックサイズインデックス（ＩＴＢＳ）に基づいて、昇順（０から３１）でインデックス付与されて並べられていることに留意されたい。一実施形態において、表１は、デフォルトテーブルまたはレガシーテーブルとして用いられ、新しいテーブルが改良型テーブルまたはセカンダリテーブルとして用いられる。表１を用いることで、既存のＵＥ１１２および現在の規格で動作するＵＥ１１２に対する下位互換性が得られるとしてよい。一実施形態において、セカンダリテーブルは、新しいＵＥ１１２およびその後リリースされるものが利用し得る変調方式を提示するために用いられる。一実施形態において、セカンダリテーブルは、２５６ＱＡＭの変調次数（Ｑｍ＝８）を含む。一実施形態において、デフォルトテーブルおよびセカンダリテーブルのそれぞれのエントリの総数は、３２を超えることはなく、５ビットのフィールドにＩＭＣＳを用いて指示を収めている。
【００３５】
一実施形態において、複数のセカンダリテーブルが特定または保持されている。例えば、セカンダリテーブルのうち任意の１つは、セカンダリテーブル（または新しいテーブル）の候補であってよい。一実施形態において、サービングセルからのＲＲＣメッセージは、複数のセカンダリテーブルのうちどのテーブルをセカンダリテーブルとして用いるべきかを示す。一実施形態において、セカンダリテーブルのうち１つは、デフォルトセカンダリテーブルとして定義される。ＵＥ１１２は、サービングセルまたはｅＮＢ１０２がそれ以外を指定しない限り、セカンダリテーブルとしてデフォルトセカンダリテーブルを利用するとしてよい。
【００３６】
一実施形態において、セカンダリテーブルは、表１と同様で、１または複数のエントリ（例えば、行）を異なる設定を示すべく差し替えたＭＣＳテーブルを含む。表２は、表１との共有エントリ（ＩＭＣＳ値１、２、４、６、８、９、１１−１６、１８−２６および２９−３１）および非共有エントリ（ＩＭＣＳ値１、３、５、７、１０、１７、２７および２８）を含むセカンダリＭＣＳテーブルの一実施形態を示す。
【表２】
0006578564.tif 000003
【００３７】
表２は、共有エントリは表１と同じインデックスを保持しつつ、非共有エントリが互いに相対的に順序決めされているセカンダリＭＣＳテーブルまたは改良型ＭＣＳテーブルの一実施形態を示す。非共有エントリは、共有エントリと合わせると順番通りになっていないが、互いに相対的には昇順で並べられている。表３は、従来の方法でインデックス付与されているセカンダリＭＣＳテーブルまたは改良型ＭＣＳテーブルの一実施形態（例えば、全てのエントリが変調次数およびＴＢＳインデックスの昇順で並べられている／並び替えられている）を示す。
【表３】
0006578564.tif 000004
【００３８】
重要な点であるが、表３において少なくとも一部のエントリは表１と同じＭＣＳエントリに対応するがＩＭＣＳ値が異なることに留意されたい。
【００３９】
一実施形態において、デフォルトテーブルおよびセカンダリテーブルはそれぞれ、ＣＱＩテーブルを含む。ＣＱＩテーブルは、ＣＱＩインデックスに基づきＵＥ１１２が推奨する変調およびＵＥ１１２が推奨するコーディングレートを示すために用いられるテーブルを含むとしてよい。ＣＱＩテーブルの一例は、３ＧＰＰ  ＴＳ  ３６．２１３で定義されているテーブル７．２．３−１を含む。当該テーブルは以下の表４に示す。
【表４】
0006578564.tif 000005
【００４０】
ＩＭＣＳテーブルに関連して上述した例または原理はいずれも、チャネル状態情報の報告のためのＣＱＩテーブルに関連して用いられるとしてよい。例えば、２５６ＱＡＭをサポートするＵＥ１１２は、２つのＣＱＩマッピングテーブルを持つように構成されているとしてよい。２つのテーブルのエントリの一部は異なり、少なくとも１つのテーブルは２５６ＱＡＭの変調次数に対応するＣＱＩ値を含む必要がある。設定されているテーブルのそれぞれのエントリの総数は１６を超えることはないとしてよく、４ビットのＣＱＩ報告の長さを最大限まで利用可能とする。所与のＣＱＩ報告について、１つのＣＱＩテーブルのみが用いられる。一実施形態において、複数のセカンダリＣＱＩテーブルが特定または保持される。複数のＩＭＣＳテーブルを持つ実施形態と同様に、ＲＲＣメッセージは、複数のセカンダリＣＱＩテーブルのうちどのテーブルがセカンダリテーブルとして用いられるかを示すとしてよい。さらに、一のセカンダリＣＱＩテーブルがデフォルトセカンダリＣＱＩテーブルとして特定されるとしてもよい。ＲＲＣシグナリングがセカンダリテーブルを別のセカンダリＣＱＩテーブルに変更しない限り、デフォルトセカンダリＣＱＩテーブルが用いられるとしてよい。インデックス付与に関して、セカンダリＣＱＩテーブルは、幾つかの非共有エントリと共に、表１と同じＣＱＩ値を持つ１または複数の共有エントリを含むとしてよい。繰り返しになるが、非共有エントリは、互いに相対的に任意の方法で並べられるとしてよい。セカンダリＣＱＩテーブルの一実施形態を以下の表５に示す。
【表５】
0006578564.tif 000006
【００４１】
表５は、非共有エントリは互いに相対的に順序が決められる一方、共有エントリについては表４と同じインデックスとするセカンダリＣＱＩテーブルまたは改良型ＣＱＩテーブルの一実施形態を示す。非共有エントリは、共有エントリと合わせると順番通りになっていないが、互いに相対的には昇順に並べられている。表６は、従来の方法でインデックス付与されたセカンダリＭＣＳテーブルまたは改良型ＭＣＳテーブルの一実施形態を示す（例えば、全てのエントリが変調次数および効率の昇順で並べられている／並び替えられている）。
【表６】
0006578564.tif 000007
【００４２】
重要な点であるが、表６の少なくとも一部のエントリは表４と同じＣＱＩエントリに対応するがＣＱＩ値が異なることに留意されたい。
【００４３】
一実施形態において、テーブル部２０２は、ＭＣＳテーブルおよびＣＱＩテーブルの両方についてデフォルトテーブルおよびセカンダリテーブルを保持する。例えば、テーブル部２０２は、デフォルトＭＣＳテーブルの代わりに選択的に用いられ得るセカンダリＭＣＳテーブルを格納するとしてよく、さらにデフォルトＣＱＩテーブルの代わりに用いられ得るセカンダリＣＱＩテーブルを格納するとしてよい。
【００４４】
テーブル部２０２は、予め定められたテーブルを含むテーブルを格納するとしてよい。例えば、デフォルトテーブルおよびセカンダリテーブルは、ＬＴＥのリリース等、対応する規格の範囲内で定義されるとしてよい。テーブル部２０２は、サービスセルおよびＵＥ１１２がどのテーブルが利用可能であるかを把握し、どのテーブルが利用のために必要かを設定するためのシグナリングを最小限に抑えることができるように、テーブルを格納するとしてよい。一実施形態において、テーブル部２０２は、デフォルトテーブルおよびセカンダリテーブルのうち１または複数を設定するためのメッセージングを受信することによって、テーブルを保持する。例えば、ＵＥ１１２またはテーブル部２０２は、セカンダリテーブルまたはデフォルトテーブルの少なくとも一部分を定義するテーブル設定メッセージを、スモールセル等の基地局から受信するとしてよい。設定メッセージは、少なくとも１つのエントリについて、ＵＥ１１２にＨＯＭを用いて通信させるより高次の変調方式を示すとしてよい。一実施形態において、設定メッセージは、セカンダリテーブルにおいてデフォルトテーブルから変更すべき１または複数のエントリを示す。例えば、セカンダリテーブルは、セカンダリテーブルの一部のエントリがデフォルトテーブルにおける対応するエントリとは異なる点を除いて、デフォルトテーブルと同じであるとしてよい。テーブル部２０２は、テーブル設定メッセージに基づいて任意のテーブルを修正することによってテーブルを保持するとしてよい。
【００４５】
一実施形態において、２つのＭＣＳテーブルが仕様に固定的にコーディングされている。当該仕様では、第１のテーブルはＱＰＳＫ変調、１６ＱＡＭ変調および６４ＱＡＭ変調のエントリを含むＴＳ３６．２１３のテーブル７．１．７．１−１と同じであり、第２のテーブルは、第１のテーブルにおけるＱＰＳＫ変調（または他の変調）に対応する１または複数のエントリを削除して代わりに２５６ＱＡＭ変調のエントリを含む。他の実施形態において、２つのＩＭＣＳテーブルはＲＲＣシグナリングによって（例えば、ビットマップを用いて）設定される。各テーブルのエントリは、明示的に設定される（例えば、ビットマップの各要素は、テーブルの所与のエントリについて、アクティブ化されたＭＣＳおよびＴＢＳを示す）。他の実施形態によると、２つのＭＣＳテーブルは仕様に固定的にコーディングされており、ｅＮＢ１０２は、必要であれば、ＭＡＣシグナリングまたはＲＲＣシグナリングによって第１および第２のＭＣＳテーブルのうち少なくとも１つを再設定し得る。
【００４６】
同様に、２つのＣＱＩテーブルも仕様に固定的にコーディングされているとしてよく、第１のテーブルはＱＰＳＫ変調、１６ＱＡＭ変調および６４ＱＡＭ変調のエントリを持ちＴＳ３６．２１３のテーブル７．１．７．１−１と同一であり、第２のテーブルは、第１のテーブルにおけるＱＰＳＫ変調（またはその他の変調）に対応する１または複数のエントリが削除され代わりに２５６ＱＡＭ変調のエントリを持つ。他の実施形態によると、２つのＣＱＩテーブルは、ＲＲＣシグナリングによって（例えば、ビットマップを用いて）設定される。各テーブルのエントリは明示的に設定される（例えば、ビットマップの各要素は所与のテーブルについてアクティブ化されたＭＣＳおよびＴＢＳを示す）。他の実施形態において、２つのＣＱＩテーブルは、仕様に固定的にコーディングされており、ｅＮＢ１０２は、必要であれば、ＭＡＣ／ＲＲＣシグナリングによって第１および第２のＣＱＩテーブルのうち少なくとも１つを再設定し得る。
【００４７】
テーブル選択部２０４は、特定の通信に利用すべくデフォルトテーブルおよびセカンダリテーブル（または、デフォルト変調セットまたはセカンダリ変調セット）のうちいずれかを選択するように構成されている。レガシーＣＱＩテーブルおよびレガシーＭＣＳテーブルに加えて新しいＨＯＭ−ＣＱＩテーブルおよび／または新しいＨＯＭ−ＭＣＳテーブルが定義されている場合、ＵＥ１１２またはｅＮＢ１０２は、適切なＡＭＣで所与のタイミングにおいてパケット送信／受信を成功させるために利用すべき（または、アクティブ化するべき）ＣＱＩテーブルおよびＭＣＳテーブルを示す効率的なメカニズムを必要としてよい。例えば、テーブル選択部２０４は、デフォルトテーブルおよびセカンダリテーブルから選択テーブルを決定するように構成されている。一実施形態において、テーブル選択部２０４は、デフォルトＭＣＳテーブルおよびセカンダリＭＣＳテーブルのうち１つを選択し、テーブル選択部２０４はさらに、デフォルトＣＱＩテーブルおよびセカンダリＣＱＩテーブルのうち１つを選択する。一実施形態において、テーブル選択部２０４は、ＵＥ１１２が選択テーブルを示すＲＲＣレイヤメッセージおよびＭＡＣレイヤメッセージのうち１または複数を受信することに応じて、選択テーブルを選択するように構成されている。例えば、より高位のレイヤのメッセージは、デフォルトテーブルまたはセカンダリテーブルのうちいずれをＰＤＳＣＨ通信に利用すべきかに関して明示的な指示を含むとしてよい。一実施形態において、ＲＲＣレイヤメッセージは、どのテーブルを利用すべきかを示す値を含む。
【００４８】
一実施形態において、テーブル選択部２０４は、ｅＮＢ１０２から受信する制御情報の制御情報フォーマットに基づいてデフォルトテーブルを選択する。例えば、ＵＥ１１２は、ＰＤＳＣＨの受信を設定するための制御情報と共にＰＤＣＣＨを受信するとしてよい。テーブル選択部２０４は、ＲＲＣレイヤシグナリングまたはＭＡＣレイヤシグナリングに関係なく、フォーマットがＤＣＩフォーマット１Ａであればデフォルトテーブルを選択するとしてよい。例えば、テーブル選択部２０４は、ＲＲＣレイヤシグナリングまたはＭＡＣレイヤシグナリングがセカンダリＣＱＩテーブルまたはセカンダリＭＣＳテーブルを使用すべきと示していたとしても、デフォルトＭＣＳテーブルを選択するとしてよい。一実施形態において、ＤＣＩフォーマットが任意の他のフォーマットである場合、テーブル選択部２０４は、ＲＲＣレイヤシグナリングまたはＭＡＣレイヤシグナリングによって示されている場合、セカンダリテーブルを利用する。一実施形態において、ＵＥ１１２のハンドオフ（つまり、ＵＥ１１２のサービングセルが現在のサービングセルから別のセルに変更された）後、ハンドオフ後は第２のテーブルが用いられるとＲＲＣシグナリング／ＭＡＣシグナリングが示していない限り、デフォルトＣＱＩテーブルまたはレガシーＣＱＩテーブルが用いられる。例えば、テーブル選択部２０４は、電源投入時、セル接続時、または、ハンドオーバー時に、セカンダリテーブルを用いるよう示す指示を受信しない限り、または、そのような指示を受信するまで、１または複数のデフォルトテーブルを利用するとしてもよい。
【００４９】
図４は、ＡＭＣにおいてテーブルまたは変調セットを選択する方法４００の一実施形態を示す概略ブロック図である。方法４００は、図２のＵＥ１１２等の無線通信デバイスによって実行されるとしてよい。
【００５０】
方法４００が開始されると、ＵＥ１１２は、４０２において、サービングｅＮＢ１０２にＵＥ１１２が２５６ＱＡＭを実行可能であると通知する。ＵＥ１１２は、４０２において、ＲＲＣレイヤシグナリング、ＭＡＣレイヤシグナリング、ＵＣＩ等によって、サービングｅＮＢ１０２にこの旨を通知するとしてよい。一実施形態において、ＵＥ１１２は、４０２において、リリースバージョン（例えば、Ｒｅｌ．１３）を示すことによって、または、任意の他の方法で、間接的に、サービングｅＮＢ１０２にこの旨を通知する。
【００５１】
テーブル選択部２０４は、４０４において、レガシーＣＱＩテーブルおよびレガシーＭＣＳテーブルを利用する。例えば、テーブル選択部２０４は、４０４において、電源投入時、セル接続時またはハンドオーバー時には、レガシーテーブル（つまり、デフォルトテーブル）を利用するようデフォルト設定されているとしてよい。テーブル選択部２０４は、４０６において、ＨＯＭテーブルに切り替えるよう求めるメッセージを受信したか否かを判断する。例えば、サービングｅＮＢ１０２が２５６ＱＡＭを実行可能であり、且つ、ＵＥ１１２の測定報告（例えば、受信信号受信電力（ＲＳＲＰ）、基準信号受信品質（ＲＳＲＱ）、および／または、ＣＱＩ報告）に基づき、チャネルが十分に良好で２５６ＱＡＭをサポートできると検出した結果、ＣＱＩテーブルおよびＭＣＳテーブルの一方または両方を、レガシーテーブルからＨＯＭテーブルに切り替えるよう決定した場合、ｅＮＢ１０２は、ＵＥ１１２に対して、ＵＥ１１２にＨＯＭテーブルへの切り替えを要求する１または複数のＲＲＣレイヤ信号またはＭＣＳレイヤ信号を送信する。ＨＯＭテーブルを利用するよう求めるメッセージを受信していない場合（４０６においてＮＯ）、テーブル選択部２０４は、４０４において、レガシーテーブルの利用を継続する。ＨＯＭテーブルを利用するよう求めるメッセージを受信した場合（４０６においてＹＥＳ）、テーブル選択部２０４は、４０８において、ＨＯＭ−ＣＱＩテーブルを利用する。
【００５２】
４０６または４０８等において、ＨＯＭテーブル（つまり、セカンダリテーブルまたは改良型テーブル）の利用が設定されている場合、テーブル選択部２０４は、４１０において、ＤＣＩをフォーマット１Ａで受信したか否かを判断する。ＤＣＩフォーマットがフォーマット１Ａでない場合（４１０においてＮＯ）、テーブル選択部２０４は、４１２において、ＨＯＭ−ＭＣＳテーブルを利用して対応するＰＤＳＣＨを受信／デコードする。ＤＣＩフォーマットがフォーマット１Ａである場合（４１０においてＹＥＳ）、テーブル選択部２０４は、４１４において、レガシーＭＣＳテーブルを用いて対応するＰＤＳＣＨを受信／デコードする。例えば、ＨＯＭ−ＭＣＳテーブルがアクティブであったとしても、ＤＣＩフォーマット１Ａに対応付けられているＰＤＳＣＨ送信にはレガシーＭＣＳテーブルが利用される。一実施形態において、ＤＣＩフォーマット１Ａは、チャネル品質が劣化していることにより用いられるので、２５６ＱＡＭは利用可能ではなく、したがってより低次の変調方式が利用されるとしてよい。
【００５３】
テーブル選択部２０４は、４１６において、レガシーテーブルに切り替えることを求めるメッセージを受信したか否かを判断する。レガシーテーブルを利用するよう求めるメッセージを受信していない場合（４１６においてＮＯ）、テーブル選択部２０４は決定ブロック４１０に戻って、４１０において、受信したＤＣＩのフォーマットを決定する。レガシーテーブルを利用するよう求めるメッセージを受信した場合（４１６においてＹＥＳ）、テーブル選択部２０４は、４０４において、レガシーＣＱＩテーブルおよびレガシーＭＣＳテーブルを利用する。例えば、ＨＯＭ−ＣＱＩテーブルおよび／またはＨＯＭ−ＭＣＳテーブルが現在アクティブであり、ｅＮＢ１０２がＨＯＭテーブルからレガシーテーブルへと切り替えると決定した場合、ｅＮＢ１０２は、ＵＥ１１２に対して、レガシーテーブルへの切り替えをＵＥ１１２に要求する１または複数のＲＲＣレイヤ信号またはＭＣＳレイヤ信号を送信する。
【００５４】
一実施形態において、テーブル選択部２０４は、現在のサービングｅＮＢおよびターゲットｅＮＢの一方または両方がターゲットセルでＨＯＭテーブルが利用されると示さない限りにおいて、ハンドオーバーの後は自動的にレガシーテーブルに戻る。
【００５５】
制御情報部２０６は、ｅＮＢ１０２から、利用すべきテーブル、または、ＵＥ１１２のＡＭＣまたは設定処理を示すメッセージまたはシグナリングを受信するように構成されている。一実施形態において、制御情報部は、対応するＰＤＳＣＨをどのように受信するかを示すＤＣＩを受信するように構成されている。一実施形態において、制御情報部２０６は、デフォルトテーブルおよびセカンダリテーブルのうちどのテーブルを利用すべきかを示すＲＲＣレイヤメッセージまたはＭＡＣレイヤメッセージを受信して処理する。
【００５６】
チャネル評価部２０８は、ＵＥ１１２とｅＮＢ１０２との間の第１のチャネルおよび第２のチャネルを評価するように構成されている。ＣＱＩは、第１のチャネルの品質を示すインデックス値（つまり、ＣＱＩ値）を決定してｅＮＢ１０２に送信するように構成されている。例えば、ＣＱＩ値は、ＵＥ１１２が決定したＭＣＳが、第１のチャネルの現在のＳＮＲまたはＳＩＮＲによってサポートされ得ることを示すとしてよい。一実施形態において、チャネル評価部２０８はさらに、第２のチャネルの品質を示す差分インデックス値を決定して送信するように構成されている。差分インデックス値は、第１のチャネルと相対的に決定される第２のチャネルのオフセットを示すオフセット値を含むとしてよい。例えば、差分インデックス値は、選択テーブルにおいてトランスポートブロックサイズインデックスおよび変調値のうち１または複数にしたがって所定の順序で並べられた第２のテーブルに基づいて決まる値を含むとしてよい。一実施形態において、セカンダリＣＱＩテーブルは、当該テーブルが変調次数および／または効率にしたがって順序決めされている場合のインデックスに対応する差分ＣＱＩインデックスを含む。一実施形態において、第１および第２のチャネルは、複数の異なる空間ストリームを含む。例えば、第１のチャネルは時間、空間または周波数において第２のチャネルと直交するチャネルに対応するとしてよい。一実施形態において、第１のチャネルは、広周波数帯域に対応し、第２のチャネルは当該広周波数帯域のサブ周波数帯域に対応する。
【００５７】
上述したように、ＣＱＩテーブルの各エントリ（または行）は特定のＭＣＳを示すとしてよい。このため、ＣＱＩインデックス値は通常、絶対ＣＱＩ値と呼ばれる。シグナリングオーバーヘッドを減らすべく、複数のＣＱＩ値がＵＥ１１２から報告され、ＬＴＥによってサポートされる場合もある。例えば、チャネル品質報告は、広帯域のＣＱＩに加えて特定のサブバンドのＣＱＩ報告含むか、または、複数の空間ストリームについての複数のＣＱＩ報告を含むとしてよい。しかし、ＣＱＩエントリが昇順でインデックス付与されていない場合（昇順でない表５と、昇順になっていると表６を比較されたい）、従来のオフセット値は適用できない。一実施形態において、この問題を解決するべく、差分ＣＱＩは、ＣＱＩインデックス値に基づいてではなく、昇順になっているＭＣＳレベルに基づいて定義される。言い換えると、差分ＣＱＩは、一実施形態において、ＣＱＩインデックスが昇順で並べ替えられたものとして定義される。表７は、差分ＣＱＩインデックスに対応する列が追加されているセカンダリＣＱＩテーブルを示す。
【表７】
0006578564.tif 000008
【００５８】
表７から分かるように、差分ＣＱＩインデックスは、ＭＣＳレベルに基づいて決まり、ＣＱＩインデックス（または絶対ＣＱＩインデックス）とは異なる。このため、第１のチャネルのＣＱＩ値は絶対ＣＱＩインデックスを含むが、差分ＣＱＩ値は、第２のチャネルについての、絶対ＣＱＩインデックス値からＭＣＳまでのオフセットを示すとしてよい。
【００５９】
インデックス値および差分インデックス値の一例を空間多重送信の例に関して示すが、絶対ＣＱＩはコードワード０について報告され、相対ＣＱＩはコードワード１について報告される。一実施形態によると、絶対ＣＱＩと差分ＣＱＩ（ＤＣＱＩ）との間の差分を定義するオフセットレベルは以下のように算出される。
オフセットレベル＝コードワード０についてのＤＣＱＩインデックス−コードワード１についてのＤＣＱＩインデックス
式中、ＤＣＱＩインデックスは、表７の２番目の列に対応するインデックスである。例えば、ＵＥ１１２は、ｅＮＢ１０２に対して、コードレート８６０／１０２４（表７において絶対ＣＱＩインデックス６およびＤＣＱＩインデックス１４に対応）の２５６ＱＡＭについてのＭＣＳ、および、コードレート７１１／１０２４（表７において絶対ＣＱＩインデックス２およびＤＣＱＩインデックス１２に対応）の２５６ＱＡＭについてのＭＣＳがそれぞれ、コードワード０およびコードワード１についてサポート可能である旨を報告したいと考えるとしてよい。そして、オフセットレベルは、以下のように算出されるので、この特定の例では２となる。
オフセットレベル＝１４−１２＝２
ＣＱＩインデックス６に対応するＤＣＱＩインデックスが１４であり、ＣＱＩインデックス２に対応するＤＣＱＩインデックスが１２である。このため、ＵＥは、ＤＣＱＩ値（表８）である２と共に、ＣＱＩインデックス６を送信する。ＣＱＩインデックス６はコードワード０についてのインデックスであり、ＤＣＱＩ値２はコードワード１についての値である。  ｅＮＢ１０２は、ＣＱＩインデックスおよびＤＣＱＩ値を適宜解釈して、コードワード０およびコードワード１についてサポート可能な最高ＭＣＳレベルを得る必要がある。
【表８】
0006578564.tif 000009
【００６０】
ソフトバッファ２１０は、受信した符号化ビットを格納するためのメモリを含むとしてよい。一実施形態において、ソフトバッファ２１０は、少なくとも２５６ＱＡＭのピークデータレートを処理するのに十分なサイズを持つ。例えば、ＬＴＥは、インクリメンタルリダンダンシ（増加冗長性）ハイブリッド自動再送要求（ＨＡＲＱ）を利用する。例えば、ＵＥ１１２は通常、受信した符号化ビットをソフトバッファ２１０に格納する。再送中、ＵＥ１１２は、新しく受信したビットと、既に受信して格納されているビットとを組み合わせて、受信した符号化データの正確性に対する信頼性を高める。ソフトバッファのサイズは一般的にピークデータレートに応じて決まり、概して、ピークデータレートが高くなるほど、必要なソフトバッファサイズはピークデータレートが低い場合に比べて大きくなる。このため、２５６ＱＡＭが導入されると、ピークデータレートが高くなり、ソフトバッファサイズもまた大きくする必要があるとしてよい。このため、ＵＥ１１２は、他のレガシーＵＥ１１２（例えば、ＬＴＥの旧リリースに応じたＵＥ）よりも大きいサイズのソフトバッファ２１０を持つとしてよい。このため、一実施形態において、ソフトバッファ２１０は、少なくとも２５６ＱＡＭのピークデータレートを処理するのに十分なサイズを持つ。
【００６１】
ソフトバッファサイズ部２１２は、特定の通信に用いられるべきソフトバッファ２１０の量を決定するように構成されている。例えば、ソフトバッファサイズ部２１２は、２５６ＱＡＭのソフトバッファサイズを用いる旨の指示をｅＮＢ１０２から受信するまで、２５６ＱＡＭのソフトバッファサイズ未満のソフトバッファサイズを用いるように構成されているとしてよい。一実施形態において、ＨＯＭバッファサイズを利用するよう求める指示は、ＲＲＣレイヤシグナリングまたはＭＡＣレイヤシグナリングを用いて送信される。
【００６２】
ＬＴＥターボコードのマザーコードレートは、３分の１であり、つまり、Ｎがエンコーダへの入力ビットの数（またはペイロードサイズ）である場合にターボエンコーダは３×Ｎ個の符号化ビットを生成する。各ＨＡＲＱ送信（例えば、第１の送信、第２の送信等）は、関連するＬＴＥ仕様（例えば、３ＧＰ  ＴＳ３６．２１２および３ＧＰ  ＴＳ  ３６．２１３）で定義されているルールに応じて、３×Ｎ個の符号化ビットの全てまたは一部を転送する。更に具体的に説明すると、３×Ｎ個の符号化ビットの一部が定義されており、各ＨＡＲＱ送信は、この一部の符号化ビットのうち一部または全てを選択する。この定義されている一部は、ソフトバッファと呼ばれ、そのサイズはソフトバッファサイズと呼ぶ。
【００６３】
３×Ｎというソフトバッファサイズは符号化ゲインを出来る限り高くする上で望ましいが、ソフトバッファサイズは、メモリ容量が限定されている（ソフトバッファサイズが不十分である）ためにＵＥ１１２が３×Ｎのソフトバッファサイズをサポートできない場合、３×Ｎより小さくなる場合もある。一般的に、２５６ＱＡＭが可能なＵＥ１１２は、２５６ＱＡＭ機能をサポートしていないレガシーＵＥ１１２よりもメモリ容量が大きい。このため、２５６ＱＡＭのＵＥ１１２についてはより大きなソフトバッファサイズを利用し得る。より大きなバッファサイズを利用することで、２５６ＱＡＭ以外のＰＤＳＣＨ送信（例えば、６４ＱＡＭまたはそれ未満）についても、性能が改善され得る。しかし、ソフトバッファサイズの拡大は、ｅＮＢが２５６ＱＡＭを実行可能でない場合には、不可能である。
【００６４】
本開示は、ＨＯＭソフトバッファサイズが可能か否かを示すための新しいＲＲＣレイヤシグナリングまたはＭＡＣレイヤシグナリングを提案する。一実施形態において、ｅｎａｂｌｅ＿ＨＯＭ＿ｓｏｆｔ＿ｂｕｆｆｅｒ＿ｓｉｚｅと呼ばれる値がＵＥ１１２に送信される。この値は、ソフトバッファサイズはソフトバッファに関するＵＥメモリ容量（つまり、３ＧＰＰ  ＴＳ３６．３０６のテーブル４．１−１で定義されているソフトチャネルビットの総数）に基づいて算出されることを示す。ｅｎａｂｌｅ＿ＨＯＭ＿ｓｏｆｔ＿ｂｕｆｆｅｒ＿ｓｉｚｅ＝１がＵＥ１１２に送信される場合、アクティブであるＣＱＩテーブルおよびＭＣＳテーブルがどれかに関わらず、ｅＮＢ１０２およびＵＥ１１２は、ＵＥ１１２の最大メモリサイズ（つまり、３ＧＰＰ  ＴＳ３６．３０６のテーブル４．１−１で定義されているソフトチャネルビットの総数）に基づいてソフトバッファサイズを設定する必要がある。そうでない場合、ｅＮＢ１０２およびＵＥ１１２は、レガシールール（例えば、ＵＥ１１２のソフトバッファの最大サイズ未満）にしたがってソフトバッファサイズを設定する必要がある。
【００６５】
一実施形態において、２５６ＱＡＭ等のＨＯＭをサポートする将来のＬＴＥリリースを導入する。ＵＥ１１２の新しいＲｅｌ−１２というカテゴリは、これまでのＵＥ１１２カテゴリよりも、トランスポートブロックサイズが大きく、ソフトチャネルビットの総数が多い。ＵＥ１１２は、ＵＥ１１２がサポートする新しいＵＥ１１２カテゴリおよびレガシーＵＥ１１２カテゴリ（Ｒｅｌ−８ＵＥカテゴリおよび、サポートされている場合には、Ｒｅｌ−１０ＵＥカテゴリ）の両方を意味する。このため、レガシーｅＮＢ１０２および新しいｅＮＢ１０２と通信することが可能である。ＵＥ１１２はサービングｅＮＢ１０２がレガシーｅＮＢ１０２であるか新しいＲｅｌ−１２カテゴリのｅＮＢ１０２であるかを知らないので、ＵＥ１１２およびｅＮＢ１０２は、拡大したソフトバッファサイズをいつ使うべきかを決定する方法を予め定めておく必要があるとしてよい。一実施形態において、ＵＥ１１２およびｅＮＢ１０２は、ＨＯＭ（ＣＱＩおよび／またはＭＣＳ）テーブルがアクティブである場合に限って、新しいＵＥ１２カテゴリに対応付けられているソフトチャネルビットの総数（３ＧＰＰ  ＴＳ３６．３０６のテーブル４．１−１で定義されている）に基づいてＨＡＲＱ処理についてのソフトバッファサイズを設定する。これに代えて、ＨＯＭテーブルがアクティブでない場合でも大きいソフトバッファサイズを利用するべく、新しいＲＲＣレイヤシグナリングまたはＭＡＣレイヤシグナリングを、ｅｎａｂｌｅ＿ＨＯＭ＿ｓｏｆｔ＿ｂｕｆｆｅｒ＿ｓｉｚｅパラメータを利用して（例えば、値を１として）、ｅＮＢ１０２からＵＥ１１２に送信するとしてよい。これは、ソフトバッファサイズが新しいＵＥ１１２カテゴリに対応付けられているソフトチャネルビットの総数に基づいて設定されていることを意味する。これ以外の場合、ｅＮＢ１０２およびＵＥ１１２は、レガシーＵＥ１１２カテゴリに応じてソフトバッファサイズを設定する必要がある。
【００６６】
通信部２１４は、ＵＥ１１２とサービングセルとの間で情報を通信するように構成されている。一実施形態において、ＵＥ１１２は、ＰＤＣＣＨ通信または改良型ＰＤＣＣＨ（ＥＰＤＣＣＨ）通信、および、ＰＤＳＣＨ通信をｅＮＢ１０２から受信して、ＵＥ１１２用の情報を処理および解釈するように構成されている。一実施形態において、通信部２１４は、選択テーブルのＭＣＳに基づいてＰＤＳＣＨを受信して処理する。例えば、通信部２１４は、ＰＤＳＣＨコンポーネントを処理するために用いられるべきテーブルにおける特定のエントリを示すＩＭＣＳ値を受信するとしてよい。通信部２１４は、テーブル選択部２０４が選択したテーブルの特定のエントリを参照して、特定のＰＤＳＣＨのＭＣＳを決定するとしてよい。ＵＥ１１２はこのあと、ＰＤＳＣＨをデコードして、必要に応じて情報を利用または転送するとしてよい。
【００６７】
図３は、ｅＮＢ１０２の概略ブロック図である。ｅＮＢ１０２は、テーブル設定部３０２、機能部３０４、制御部３０６、ＣＱＩ部３０８、ＭＣＳ選択部３１０、および、ソフトバッファサイズ部２１２を備える。ＭＣＳ選択部３１０は、一実施形態において、不明確部３１２を含む。構成要素３０２−３１２および２１２は、一例として挙げられているに過ぎず、全ての実施形態にすべてが含まれているわけではないとしてよい。一部の実施形態は、構成要素３０２−３１２および２１２のうち任意の１つ、または、これらのうち２またはそれ以上の任意の組み合わせを含むとしてよい。一実施形態において、構成要素３０２−３１２および２１２は、任意のサービングセル、例えば、スモールセル用のＲＮＣに含まれているとしてよい。
【００６８】
テーブル設定部３０２は、変調方式、コーディングレート、トランスポートブロックサイズ等を指示し選択するべく複数のテーブルを保持および／または設定するように構成されている。具体的には、テーブル設定部３０２が格納、設定または保持するのは、ＵＥ１１２のテーブル選択部２０４に関して上述したデフォルトテーブルおよびセカンダリテーブルの変更例のいずれであってもよい。例えば、テーブル設定部３０２は、上述した表１、表２、表３、表４、表５、表６、表７および表８のうち１または複数を格納するとしてよい。一実施形態において、テーブル設定部３０２は、セカンダリテーブルを設定するように構成されている。例えば、テーブル設定部３０２は、セカンダリテーブルの１または複数のエントリを設定するためのテーブル設定メッセージを生成して送信するとしてよい。一実施形態において、テーブル設定部３０２はさらに、デフォルトテーブルおよびセカンダリテーブルのうちどちらを利用すべきかを判断するように構成されている。
【００６９】
テーブル設定部３０２は、現在のリソースブロックで利用すべきテーブルを決定し、選択テーブルを、ＲＲＣレイヤシグナリングまたはＭＡＣレイヤシグナリング等でＵＥ１１２に通知するとしてよい。デフォルトテーブルおよびセカンダリテーブルに関して上述した変更例、デフォルトテーブルおよびセカンダリテーブルの設定、および、デフォルトテーブルの選択はいずれも、テーブル設定部３０２によってネットワーク側で実行または決定されるとしてよい。
【００７０】
機能部３０４は、特定のＵＥ１１２が高次の変調方式（例えば、２５６ＱＡＭ）を実行可能であるか否かを判断するように構成されている。例えば、ｅＮＢ１０２は、スモールセル内に位置しているとしてよく、ＨＯＭを実行可能で、ＵＥ１１２と通信するとしてよい。一実施形態において、機能部３０４は、ＵＥ１１２の３ＧＰＰリリースバージョンに基づき、ＵＥ１１２が高次変調方式を実行可能であると判断する。例えば、ＵＥ１１２が２５６ＱＡＭを実行可能なリリースバージョンである場合、ｅＮＢ１０２は、ＵＥ１１２は２５６ＱＡＭを実行可能であり、ＵＥ１１２はデフォルトテーブルおよびセカンダリテーブルの保持および選択が可能であると仮定するとしてよい。
【００７１】
制御部３０６は、ＵＥの動作を設定するための情報をＵＥ１１２に送信するように構成されている。例えば、制御部３０６は、デフォルトテーブルまたはセカンダリテーブルのいずれを用いて通信をデコードすべきかを示す信号を送信するとしてよい。さらに、制御部３０６は、ダウンリンク通信を設定するための制御情報をＵＥ１１２に送信するとしてよい。例えば、制御部３０６は、ＰＤＣＣＨ／ＥＰＤＣＣＨ通信において、ＤＣＩをＵＥ１１２に送信するとしてよい。一実施形態において、制御部３０６は、ＰＤＳＣＨ通信を受信および処理するためのＭＣＳを示す、ＩＭＣＳ等の値を含む制御情報を送信する。例えば、ＩＭＣＳ値は、選択テーブルのどのエントリを用いてＰＤＳＣＨ通信をデコードおよび処理するべきかを示すとしてよい。一実施形態において、ＩＭＣＳ値は、ＭＣＳ選択部３１０によって決定される。ＭＣＳ選択部３１０は、ＤＣＩに含めるべく制御部３０６にＩＭＣＳ値を提供するとしてよい。一実施形態において、ＩＭＣＳ値は、不明確期間において用いられるべきＭＣＳに対応する。一実施形態において、制御部３０６は、ＵＥ１１２およびｅＮＢ１０２が利用すべきソフトバッファサイズを示すメッセージ（ｅｎａｂｌｅ＿ＨＯＭ＿ｓｏｆｔ＿ｂｕｆｆｅｒ＿ｓｉｚｅパラメータの値を含むＭＡＣレイヤメッセージまたはＲＲＣレイヤメッセージ等）を提供する。
【００７２】
ＣＱＩ部３０８は、ＵＥ１１２からＣＱＩ値を受信するように構成されている。ＣＱＩ値は、サポートされている変調符号化レートの最高値を示すとしてよい。例えば、ＣＱＩ値は、ｅＮＢ１０２とＵＥ１１２との間のダウンリンクデータレートの最良値を提供するＭＣＳに対応するとしてよい。一実施形態において、ＣＱＩ部３０８は、第１のチャネルおよび第２のチャネルのＣＱＩ情報を受信する。ＣＱＩ値は、絶対ＣＱＩ値または差分ＣＱＩ値のうち１または複数を用いて通信されるとしてよい。
【００７３】
ＭＣＳ選択部３１０は、特定の通信について用いられるべきＭＣＳを決定するように構成されている。一実施形態において、ＭＣＳ選択部３１０は、ＵＥ１１２から受信するチャネルに関する情報に基づいて、ＭＣＳを決定する。例えば、ＭＣＳ選択部３１０は、サポートされている変調符号化レートの最高値を示すＣＱＩを（後述するＣＱＩ部３０８を介して）ＵＥ１１２から受信するとしてよい。ＭＣＳ選択部３１０は、ＵＥ１１２からの推薦を利用して、ＰＤＳＣＨについてどのＭＣＳを利用すべきかを決定するとしてよい。一実施形態において、ＭＣＳ選択部３１０は、ＣＱＩ値に基づき選択ＣＱＩテーブルを参照して、ＵＥ１１２による推薦を判断する。ＭＣＳ選択部３１０はこの後、ＵＥ１１２に通信するべく、ＭＣＳおよび対応するＩＭＣＳ値を選択するとしてよい。例えば、ＭＣＳ選択部３１０は、ＵＥ１１２によるＣＱＩの推薦を超えないＭＣＳを選択するとしてよい。ＭＣＳ選択部３１０は、ＵＥ１１２に通信するべく、制御部３０６にＩＭＣＳ値を提供するとしてよい。
【００７４】
不明確部３１２は、不明確期間テーブルインデックス値を選択するように構成されている。上述したように、ＲＲＣ、ＭＡＣまたはその他のレイヤのシグナリングが、レガシーテーブルおよびＨＯＭテーブルのうちどのＣＱＩテーブルまたはＭＣＳテーブルを利用するかを示すとしてよい。しかし、テーブルをレガシーテーブルからＨＯＭテーブルに変更するよう、またはその逆を実行するようＵＥ１１２に要求するＲＲＣレイヤメッセージまたはＭＡＣレイヤメッセージを送信した後、ｅＮＢ１０２は、ＵＥ１１２がいつメッセージを受信して新しい設定を適用するか、正確に知らないとしてよい。この期間は、シグナリングがＲＲＣレイヤ信号またはＭＡＣレイヤ信号のいずれかに応じて、ＲＲＣ（再設定）不明確期間またはＭＡＣ（再設定）不明確期間と呼ばれる。
【００７５】
図５は、ＲＲＣ再設定不明確期間を示す概略図である。Ｔ１は、ｅＮＢ１０２が、別のＣＱＩ／ＭＣＳテーブルに切り替えるためのＲＲＣ接続再設定メッセージをＵＥ１１２に送信するタイミングに対応する。Ｔ２は、ＵＥ１１２が、当該メッセージを受信して新しい設定を適用するタイミングに対応する。Ｔ３は、ＵＥ１１２が確認メッセージを送信するタイミングに対応する。Ｔ４は、ｅＮＢ１０２がＵＥ１１２から確認メッセージを受信するタイミングに対応する。しかし、ｅＮＢ１０２はＴ２またはＴ３がいつ発生するかは知らないので、ＵＥ１０２は、新しく選択された、または、切り替えたテーブルがＵＥ１１２によっていつから利用されるのかは、確認メッセージを受信するＴ４まで知らない。このため、Ｔ１からＴ４の期間は、不明確期間と呼ぶ。
【００７６】
ＲＲＣ不明確期間において、ｅＮＢおよびＵＥが異なるＣＱＩテーブルを用いている場合、ＵＥからのＣＱＩ報告を、ｅＮＢは適切に解釈することができない。この結果、ｅＮＢは、ＰＤＳＣＨ送信について適切なＭＣＳを選択することが難しくなる。これでは、ＲＲＣ不明確期間中の性能が大幅に低下してしまう可能性がある。ＲＲＣ不明確期間において、ｅＮＢおよびＵＥが異なるＭＣＳテーブルを利用している場合、ＵＥはＰＤＳＣＨに適用されているＭＣＳを間違って解釈してしまうので、対応するＰＤＳＣＨのデコードに失敗してしまう。
【００７７】
本明細書で開示している一実施形態によると、ｅＮＢ１０２は、レガシーＭＣＳテーブルおよびＨＯＭ−ＭＣＳテーブルで共通の複数のＭＣＳのうち１つ（例えば、共有エントリ）を選択する。例えば、表２がＨＯＭ−ＭＣＳテーブルとして用いられる場合、ｅＮＢ１０２はＭＣＳインデックスセット｛０，２，４，６，８，９，１１，１２，１３，１４，１５，１６，１８，１９，２０，２１，２２，２３，２４，２５，２６｝から一のＭＣＳインデックスを選択するとしてよい。これらのＭＣＳはレガシーＭＣＳテーブル（表１）およびＨＯＭ−ＭＣＳテーブルで共通であり、両テーブルで同じＭＣＳインデックスを持つことに留意されたい。これらの共有エントリのうち１つを選択することによって、ｅＮＢ１０２およびＵＥ１１２は、どのＭＣＳテーブルが用いられていようと関係なく、同じやり方でＭＣＳインデックスを解釈する。このため、ＨＯＭテーブルまたはレガシーテーブルのいずれを用いるかは、不明確期間において問題にはならないとしてよい。
【００７８】
ｅＮＢ１０２はさらに、特定のＵＥ１１２と通信する際に利用すべきソフトバッファのサイズを決定するように構成されているソフトバッファサイズ部２１２を含むとしてよい。例えば、機能部３０４のソフトバッファサイズ部２１２は、ＵＥ１１２がＨＯＭ（例えば、２５６ＱＡＭ）を実行可能な場合にソフトバッファサイズ部２１２に通知するとしてよい。ＵＥ１１２がＨＯＭを実行可能であると判断することに応じて、ｅＮＢ１０２は、ＵＥ１１２のソフトバッファの最大サイズを利用すべきという旨を示すメッセージを送信するとしてよい。例えば、ｅＮＢ１０２は、ＵＥ１１２およびｅＮＢ１０２が利用すべきソフトバッファサイズを示すｅｎａｂｌｅ＿ＨＯＭ＿ｓｏｆｔ＿ｂｕｆｆｅｒ＿ｓｉｚｅパラメータの値を含むＲＲＣメッセージを送信するとしてよい。
【００７９】
図６は、ＵＥ１１２においてＭＣＳを設定する方法６００を示す概略フローチャート図である。方法６００は、ＵＥ１１２または他の無線通信デバイスによって実行されるとしてよい。
【００８０】
方法６００が開始され、テーブル部２０２は、６０２において、複数の利用可能な変調方式についてのエントリを持つテーブルを２またはそれ以上保持する。２またはそれ以上のテーブルは、デフォルトテーブルおよびセカンダリテーブルを含むとしてよい。デフォルトテーブルおよびセカンダリテーブルは、同数のエントリを持ち、セカンダリテーブルは、２５６ＱＡＭ方式に対応するエントリを含む。
【００８１】
テーブル選択部２０４は、６０４において、デフォルトテーブルおよびセカンダリテーブルの一方から選択テーブルを選択する。テーブル選択部は、デフォルトとしてデフォルトテーブルを利用し、セカンダリテーブルの選択を指示するメッセージングをｅＮＢ１０２から受信することに応じてセカンダリテーブルを選択するように構成されている。このメッセージングは、ＲＲＣレイヤシグナリングおよびＭＡＣレイヤシグナリングのうち１または複数を含むとしてよい。テーブル選択部はさらに、ｅＮＢ１０２から受信する制御情報のための制御情報フォーマットに基づきデフォルトテーブルを選択するように構成されている。
【００８２】
制御情報部２０６は、６０６において、選択テーブルから選択されるＭＣＳを示す制御情報を受信する。例えば、制御情報は、ＩＭＣＳ値を含むとしてよい。通信部２１４は、６０８において、選択テーブルから選択された変調符号化方式に基づいて、ｅＮＢ１０２からの通信を受信して処理する。
【００８３】
図７は、チャネル品質を示す方法７００を示す概略フローチャート図である。方法７００は、ＵＥ１１２または他の無線通信デバイスによって実行されるとしてよい。
【００８４】
方法７００が開始され、テーブル部２０２は、７０２において、複数の利用可能な変調方式についてのエントリを持つ変調セットを２またはそれ以上保持する。２またはそれ以上の変調セットは、第１の変調セットおよび第２の変調セットを含む。第１の変調セットおよび第２の変調セットは、１または複数の共有エントリおよび１または複数の非共有エントリを含む。複数の非共有エントリは、互いに相対的に昇順または降順でインデックス付与されており、第２の変調セットの非共有エントリは、２５６ＱＡＭ方式に対応するエントリを含む。
【００８５】
テーブル選択部２０４は、７０４において、第２の変調セットを選択する。一実施形態において、テーブル選択部２０４は、７０４において、基地局からのシグナリング、例えば、ＲＲＣレイヤシグナリングまたはＭＡＣレイヤシグナリングに基づいて第２の変調セットを選択する。
【００８６】
チャネル評価部２０８は、７０６において、モバイル通信デバイスと基地局との間の第１のチャネルおよび第２のチャネルを評価する。チャネル評価部２０８はさらに、７０８において、第１のチャネルの品質を示すインデックス値および第２のチャネルの品質を示す差分インデックス値を基地局に送信する。差分インデックス値は、選択テーブルにおいてトランスポートブロックサイズインデックスおよび変調値のうち１または複数にしたがって順に並べられている第２のテーブルに基づく値を含む。例えば、インデックス値は絶対ＣＱＩ値を含み、差分インデックス値は差分ＣＱＩインデックス値を含むとしてよい。
【００８７】
図８は、不明確期間においてＭＣＳを設定するための方法８００を示す概略フローチャート図である。方法８００は、ｅＮＢ１０２または、スモールセル等の他のサービングノードによって実行されるとしてよい。
【００８８】
方法８００が開始され、テーブル設定部３０２は、８０２において、複数の利用可能な変調方式についてのエントリを持つテーブルを２またはそれ以上、ＵＥ１１２において設定する。テーブル設定部３０２は、８０２において、２またはそれ以上の予め設定されたテーブルの選択を示すことによって、または、セカンダリテーブルについてのエントリを示すことによって、２またはそれ以上のテーブルを設定するとしてよい。２またはそれ以上のテーブルは、第１のテーブルおよび第２のテーブルを含み、同数のエントリを持つ。第１のテーブルおよび第２のテーブルは、１または複数の共有エントリおよび１または複数の非共有エントリを含む。１または複数の共有エントリは、第１のテーブルおよび第２のテーブルにおいて同じテーブルインデックス値を持つ。第２のテーブルの非共有エントリは、第１のテーブルの最も高い次数の変調方式より次数の高いＨＯＭを含む変調方式に対応するエントリを含む。
【００８９】
機能部３０４は、８０４において、ＵＥ１１２はＨＯＭ（例えば、２５６ＱＡＭ）を含む変調方式を実行可能と決定する。一実施形態において、ｅＮＢ１０２は、スモールセルを含み、ＵＥ１１２は、当該スモールセルと通信する。
【００９０】
不明確部３１２は、８０６において、不明確期間において利用すべき共有エントリに対応する不明確期間テーブルインデックス値を決定する。例えば、不明確部３１２は、８０６において、ＵＥ１１２から受信するＣＱＩに基づいて、不明確期間テーブルインデックス値を決定するとしてよい。不明確部３１２はさらに、８０８において、ＤＣＩを介して等の方法で、ＵＥ１１２に不明確期間テーブルインデックス値を示す。
【００９１】
図９は、ＵＥ、移動局（ＭＳ）、モバイル無線デバイス、モバイル通信デバイス、タブレット、ハンドセットまたはその他の種類のモバイル無線デバイス等のモバイルデバイスの一例を示す。モバイルデバイスは、ノード、マクロノード、低電力ノード（ＬＰＮ）または送信局、例えば、基地局（ＢＳ）、ｅＮＢ、ベースバンドユニット（ＢＢＵ）、リモート無線ヘッド（ＲＲＨ）、リモート無線機器（ＲＲＥ）、中継局（ＲＳ）、無線機器（ＲＥ）または他の種類の無線ワイドエリアネットワーク（ＷＷＡＮ）アクセスポイントと通信するように構成されている１または複数のアンテナを含むとしてよい。モバイルデバイスは、３ＧＰＰ  ＬＴＥ、ＷｉＭＡＸ、ハイスピードパケットアクセス（ＨＳＰＡ）、Ｂｌｕｅｔｏｏｔｈ（登録商標）およびＷｉＦｉ（登録商標）等の少なくとも１つの無線通信規格を用いて通信するように構成されているとしてよい。モバイルデバイスは、無線通信規格毎に別のアンテナを用いて、または、複数の無線通信規格について共有アンテナを用いて、通信するとしてよい。モバイルデバイスは、ワイヤレスローカルエリアネットワーク（ＷＬＡＮ）、ワイヤレスパーソナルエリアネットワーク（ＷＰＡＮ）および／またはＷＷＡＮにおいて通信するとしてよい。
【００９２】
図９はさらに、モバイルデバイスからのオーディオ入出力に用いられ得るマイクロフォンおよび１または複数のスピーカを示す。ディスプレイスクリーンは、液晶ディスプレイ（ＬＣＤ）スクリーンであってよく、または、有機発光ダイオード（ＯＬＥＤ）ディスプレイ等の他の種類のディスプレイスクリーンであってもよい。ディスプレイスクリーンは、タッチスクリーンとして構成されているとしてよい。タッチスクリーンは、静電容量方式、抵抗膜方式、または、その他の種類のタッチスクリーン技術を利用するとしてよい。アプリケーションプロセッサおよびグラフィクスプロセッサが内部メモリに結合されており処理機能および表示機能を実現するとしてよい。さらに、ユーザにデータ入出力手段を提供するべく不揮発性メモリポートが用いられるとしてよい。不揮発性メモリポートはさらに、モバイルデバイスのメモリ機能を拡張するためにも用いられるとしてよい。キーボードは、モバイルデバイスと一体化されているとしてもよいし、または、ユーザ入力機能を追加するべくモバイルデバイスに無線接続されているとしてもよい。また、タッチスクリーンを用いて仮想キーボードを提供するとしてもよい。
【００９３】
以下に記載する例は、その他の実施形態に関する。
【００９４】
例１は、 テーブル部、テーブル選択部、制御情報部および通信部を備えるＵＥである。テーブル部は、複数の利用可能な変調方式についてのエントリを持つテーブルを２またはそれ以上に保持するように構成されている。２またはそれ以上のテーブルには、デフォルトテーブルおよびセカンダリテーブルが含まれる。デフォルトテーブルおよびセカンダリテーブルは同数のエントリを含み、セカンダリテーブルは、２５６ＱＡＭ方式に対応するエントリを含む。テーブル選択部は、デフォルトテーブルおよびセカンダリテーブルのうち１つから選択テーブルを選択するように構成されている。テーブル選択部は、デフォルトとしてデフォルトテーブルを利用し、セカンダリテーブルの選択を指示するｅＮＢからのメッセージングに応じてセカンダリテーブルを選択するように構成されている。メッセージングは、ＲＲＣレイヤシグナリングおよびＭＡＣレイヤシグナリングのうち１または複数を含む。テーブル選択部はさらに、ｅＮＢから受信する制御情報についての制御情報フォーマットに基づきデフォルトテーブルを選択するように構成されている。制御情報部は、選択テーブルから選択される変調符号化方式を示す制御情報を受信するように構成されている。通信部は、選択テーブルから選択される変調符号化方式に基づきｅＮＢからの通信を受信して処理するように構成されている。
【００９５】
例２において、例１のテーブル選択部は、制御情報フォーマットがＤＣＩフォーマット１Ａを含むことに応じて、デフォルトテーブルを選択するように構成されている。
【００９６】
例３において、例１または２のテーブル選択部はさらに、ターゲットセルへのハンドオーバーに応じてデフォルトテーブルを選択するように構成されている。
【００９７】
例４において、例１から３のいずれかのＵＥは、２５６ＱＡＭソフトバッファサイズを持つソフトバッファを含む。当該ＵＥはさらに、２５６ＱＡＭソフトバッファサイズを利用する旨の指示をｅＮＢから受信するまで、２５６ＱＡＭソフトバッファサイズ未満のソフトバッファサイズを利用するように構成されているソフトバッファサイズ部を備える。
【００９８】
例５において、例４におけるｅＮＢからの指示は、ＲＲＣレイヤシグナリングまたはＭＡＣレイヤシグナリングを含む。
【００９９】
例６において、例１から５のいずれかのデフォルトテーブルおよびセカンダリテーブルはそれぞれ、変調符号化方式インデックスに基づいてトランスポートブロックサイズおよび変調次数を選択するために用いられる変調符号化方式テーブルを含む。セカンダリテーブルは、デフォルトテーブルに代えて選択的に利用されるためのテーブルである。
【０１００】
例７において、例１から６のいずれかのデフォルトテーブルは、デフォルト変調符号化方式テーブルを含み、セカンダリテーブルは、セカンダリ変調符号化方式テーブルを含む。テーブル部はさらに、デフォルトチャネル品質指標テーブルおよびセカンダリチャネル品質指標テーブルを保持するように構成されている。テーブル選択部はさらに、複数の選択テーブルを選択するように構成されている。デフォルト変調符号化方式テーブルおよびセカンダリ変調符号化方式テーブルのうち１つを選択し、デフォルトチャネル品質指標テーブルおよびセカンダリチャネル品質指標テーブルのうち１つを選択することを含む。
【０１０１】
例８は、複数の利用可能な変調方式についてのエントリを持つ変調セットを２またはそれ以上保持するように構成されているモバイル通信デバイスである。２またはそれ以上の変調セットは、第１の変調セットおよび第２の変調セットを含む。第１の変調セットおよび第２の変調セットは、１または複数の共有エントリと、１または複数の非共有エントリとを含み、複数の非共有エントリは互いに相対的に昇順または降順にインデックス付与されている。モバイル通信デバイスは、基地局からのシグナリングに基づいて第２の変調セットを選択するように構成されている。モバイル通信デバイスは、モバイル通信デバイスと基地局との間の第１のチャネルおよび第２のチャネルを評価するように構成されている。モバイル通信デバイスは、第１のチャネルの品質を示すインデックス値および第２のチャネルの品質を示す差分インデックス値を基地局に送信するように構成されている。差分インデックス値は、選択テーブルにおいて変調値およびトランスポートブロックサイズインデックスのうち１または複数にしたがって順に並べられた第２のテーブルに基づく値を含む。
【０１０２】
例９において、例８における第１の変調セットおよび第２の変調セットはそれぞれ、チャネル品質指標インデックスに基づきＵＥが推奨する変調符号化レートを示すべく用いられるチャネル品質指標変調セットを含む。第２の変調セットは、第１の変調セットに代えて選択的に利用される変調セットである。
【０１０３】
例１０において、例８または９における第１のチャネルおよび第２のチャネルは、複数の異なる空間ストリームであるか、または、第１のチャネルが広周波数帯域に対応し、第２のチャネルは、この広周波数帯域のサブ周波数帯域に対応する。
【０１０４】
例１１において、例８から１０のいずれかの差分インデックス値は、インデックス値と相対的に決まるオフセット値を含む。
【０１０５】
例１２において、例８から１１のいずれかの１または複数の共有エントリは、第１の変調セットおよび第２の変調セットにおいて同じインデックス値を持つ。
【０１０６】
例１３は、テーブル設定部、機能部、不明確部および制御部を備えるｅＮＢである。テーブル設定部は、複数の利用可能な変調方式についてのエントリを持つテーブルを２またはそれ以上、ＵＥにおいて、設定するように構成されている。２またはそれ以上のテーブルは、第１のテーブルと第２のテーブルとを含み、エントリの数は互いに同数である。第１のテーブルおよび第２のテーブルは、１または複数の共有エントリおよび１または複数の非共有エントリを含み、１または複数の共有エントリは、第１のテーブルと第２のテーブルとにおいて、同じテーブルインデックス値を持つ。第２のテーブルの非共有エントリは、第１のテーブルの最も高次の変調方式よりも高次の変調を含む変調方式に対応するエントリを含む。機能部は、より高次の変調を含む変調方式をＵＥが実行可能であると判断するように構成されている。ｅＮＢは、スモールセルにおいてＵＥと通信する。不明確部は、不明確期間において利用すべき共有エントリに対応する不明確期間テーブルインデックス値を決定するように構成されている。制御部は、第１のテーブルおよび第２のテーブルのいずれが選択されるかを示す信号をＵＥに送信し、さらに、不明確期間において、不明確期間テーブルインデックス値を示す信号をＵＥに送信するように構成されている。
【０１０７】
例１４において、例１３における不明確期間は、ｅＮＢが選択テーブルを示す信号をＵＥに送信する時点と、ＵＥが選択テーブルを示す信号を受信した旨を示す信号をＵＥからｅＮＢが受信する時点との間の期間を含む。
【０１０８】
例１５において、例１３または１４における第１のテーブルおよび第２のテーブルはそれぞれ、チャネル品質指標インデックスに基づきＵＥが推奨する変調符号化レートを示すべく利用されるチャネル品質指標テーブルを含む。第２のテーブルは、第１のテーブルに代えて選択的に利用されるテーブルである。
【０１０９】
例１６において、例１３から１５のいずれかのｅＮＢは、ｅＮＢとＵＥとの間のチャネルに基づき推奨される変調符号化レートを示すチャネル品質指標インデックスを受信するように構成されているチャネル評価部を備える。ｅＮＢはさらに、ＵＥから受信するチャネル品質指標インデックスに基づき不明確期間テーブルインデックス値を選択するように構成されている変調符号化方式部を備える。
【０１１０】
例１７において、例１３から１６のいずれかの制御部は、２５６ＱＡＭソフトバッファサイズの利用を可能とする指示を含むシグナリングをＵＥに送信するように構成されている。
【０１１１】
例１８において、例１３から１７のいずれかにおける２５６ＱＡＭソフトバッファサイズの利用を可能とする旨の指示は、ＲＲＣレイヤシグナリングおよびＭＡＣレイヤシグナリングのうち１または複数を含む。
【０１１２】
例１９において、例１３から１８のいずれかの第１のテーブルおよび第２のテーブルはそれぞれ、変調符号化方式インデックスに基づいて変調次数およびトランスポートブロックサイズを選択するようために用いられる変調符号化方式テーブルを含む。第２のテーブルは、第１のテーブルに代えて選択的に用いられるテーブルである。
【０１１３】
例２０において、例１３から１９のいずれかの第１のテーブルは第１の変調符号化方式テーブルを含み、第２のテーブルは第２の変調符号化方式テーブルを含む。テーブル部はさらに、第１のチャネル品質指標テーブルおよび第２のチャネル品質指標テーブルを保持するように構成されている。テーブル選択部はさらに、デフォルト変調符号化方式テーブルおよびセカンダリ変調符号化方式テーブルのうち１つを選択し、デフォルトチャネル品質指標テーブルおよびセカンダリチャネル品質指標テーブルのうち１つを選択することによって、複数の選択テーブルを選択するように構成されている。
【０１１４】
例２１は、変調符号化方式を選択する方法である。当該方法は、複数の利用可能な変調方式についてのエントリを持つテーブルを２またはそれ以上保持する段階を備える。２またはそれ以上のテーブルは、デフォルトテーブルおよびセカンダリテーブルを含む。デフォルトテーブルおよびセカンダリテーブルは、同数のエントリを持ち、セカンダリテーブルは２５６ＱＡＭ方式に対応するエントリを含む。当該方法は、デフォルトテーブルおよびセカンダリテーブルのうち１つから選択テーブルを選択する段階を備える。当該方法は、デフォルトテーブルをデフォルトとして利用する段階と、セカンダリテーブルの選択を指示するｅＮＢからのメッセージングに応じてセカンダリテーブルを選択する段階とを備える。メッセージングは、ＲＲＣレイヤシグナリングおよびＭＡＣレイヤシグナリングのうち１または複数を含む。当該方法は、ｅＮＢから受信した制御情報のための制御情報フォーマットに基づいてデフォルトテーブルを選択する段階を備える。当該方法は、選択テーブルから選択される変調符号化方式を示す制御情報を受信する段階を備える。当該方法は、選択テーブルから選択される変調符号化方式に基づいてｅＮＢからの通信を受信して処理する段階を備える。
【０１１５】
例２２において、例２１における選択テーブルを選択する段階は、制御情報フォーマットがＤＣＩフォーマット１Ａを含むことに応じてデフォルトテーブルを選択する段階を有する。
【０１１６】
例２３において、例２１または２２における選択テーブルを選択する段階は、ターゲットセルへのハンドオーバーに応じてデフォルトテーブルを選択する段階を有する。
【０１１７】
例２４において、例２１から２３のいずれかのＵＥは、２５６ＱＡＭソフトバッファサイズを持つソフトバッファを備える。当該方法はさらに、２５６ＱＡＭのソフトバッファサイズを用いる旨の指示をｅＮＢから受信するまで、２５６ＱＡＭのソフトバッファサイズ未満のソフトバッファサイズを用いる段階を備える。
【０１１８】
例２５において、例２４におけるｅＮＢからの指示は、ＲＲＣレイヤシグナリングまたはＭＡＣレイヤシグナリングを含む。
【０１１９】
例２６において、例２１から２５のいずれかにおけるデフォルトテーブルおよびセカンダリテーブルはそれぞれ、変調符号化方式インデックスに基づいてトランスポートブロックサイズおよび変調次数を選択するために用いられる変調符号化方式テーブルを含む。セカンダリテーブルは、デフォルトテーブルに代えて選択的に用いられるためのテーブルである。
【０１２０】
例２７において、例２１から２６のいずれかにおけるデフォルトテーブルはデフォルト変調符号化方式テーブルを含み、セカンダリテーブルはセカンダリ変調符号化方式テーブルを含む。当該方法はさらに、デフォルトチャネル品質指標テーブルおよびセカンダリチャネル品質指標テーブルを保持する段階を備える。当該方法において、複数の選択テーブルを選択する段階は、デフォルト変調符号化方式テーブルおよびセカンダリ変調符号化方式テーブルのうち１つを選択し、デフォルトチャネル品質指標テーブルおよびセカンダリチャネル品質指標テーブルのうち１つを選択する段階を有する。
【０１２１】
例２８は、チャネル品質を示す方法であって、複数の利用可能な変調方式についてのエントリを持つ変調セットを２またはそれ以上保持する段階を備える。２またはそれ以上の変調セットは、第１の変調セットおよび第２の変調セットを含む。第１の変調セットおよび第２の変調セットは、１または複数の共有エントリおよび１または複数の非共有エントリを含む。複数の非共有エントリは、互いに相対的に昇順または降順でインデックス付与されている。当該方法は、基地局からのシグナリングに基づき第２の変調セットを選択する段階を備える。当該方法は、モバイル通信デバイスと基地局との間の第１のチャネルおよび第２のチャネルを評価する段階を備える。当該方法は、第１のチャネルの品質を示すインデックス値および第２のチャネルの品質を示す差分インデックス値を基地局に送信する段階を備える。差分インデックス値は、選択テーブルにおいて変調値およびトランスポートブロックサイズインデックスのうち１または複数にしたがって順に並べられた第２のテーブルに基づく値を含む。
【０１２２】
例２９において、例２８における第１の変調セットおよび第２の変調セットはそれぞれ、チャネル品質指標インデックスに基づきＵＥが推奨する変調符号化レートを示すべく用いられるチャネル品質指標変調セットを含む。第２の変調セットは、第１の変調セットに代えて選択的に利用される変調セットである。
【０１２３】
例３０において、例２８または２９における第１のチャネルおよび第２のチャネルは、複数の異なる空間ストリームであるか、または、第１のチャネルが広周波数帯域に対応し、第２のチャネルは、この広周波数帯域のサブ周波数帯域に対応する。
【０１２４】
例３１において、例２８から３０のいずれかの差分インデックス値は、インデックス値と相対的に決まるオフセット値を含む。
【０１２５】
例３２において、例２８から３１のいずれかにおける１または複数の共有エントリは、第１の変調セットおよび第２の変調セットにおいて同じインデックス値を持つ。
【０１２６】
例３３は、変調符号化方式を設定する方法であって、複数の利用可能な変調方式についてのエントリを持つテーブルを２またはそれ以上、ＵＥにおいて設定する段階を備える。２またはそれ以上のテーブルは、第１のテーブルと第２のテーブルとを含み、エントリの数は互いに同数である。第１のテーブルおよび第２のテーブルは、１または複数の共有エントリおよび１または複数の非共有エントリを含み、１または複数の共有エントリは、第１のテーブルと第２のテーブルとにおいて、同じテーブルインデックス値を持つ。第２のテーブルの非共有エントリは、第１のテーブルの最も高次の変調方式よりも高次の変調を含む変調方式に対応するエントリを含む。当該方法は、より高次の変調を含む変調方式をＵＥが実行可能であると判断する段階を備える。ｅＮＢは、スモールセルにおいてＵＥと通信する。当該方法は、不明確期間において利用すべき共有エントリに対応する不明確期間テーブルインデックス値を決定する段階を備える。当該方法は、第１のテーブルおよび第２のテーブルのいずれが選択されるかを示す信号をＵＥに送信する段階と、不明確期間において、不明確期間テーブルインデックス値を示す信号をＵＥに送信する段階とを備える。
【０１２７】
例３４において、例３３における不明確期間は、ｅＮＢが選択テーブルを示す信号をＵＥに送信する時点と、ＵＥが選択テーブルを示す信号を受信した旨を示す信号をＵＥからｅＮＢが受信する時点との間の期間を示す。
【０１２８】
例３５において、例３３または３４における第１のテーブルおよび第２のテーブルはそれぞれ、チャネル品質指標インデックスに基づきＵＥが推奨する変調符号化レートを示すべく利用されるチャネル品質指標テーブルを含む。第２のテーブルは、第１のテーブルに代えて選択的に利用されるテーブルである。
【０１２９】
例３６において、例３３から３５のいずれかの方法は、ｅＮＢとＵＥとの間のチャネルに基づき推奨される変調符号化レートを示すチャネル品質指標インデックスを受信する段階を備える。当該方法はさらに、ＵＥから受信するチャネル品質指標インデックスに基づき不明確期間テーブルインデックス値を選択する段階を備える。
【０１３０】
例３７において、例３３から３６のいずれかにおける方法は、２５６ＱＡＭソフトバッファサイズの利用を可能とする指示を含むシグナリングをＵＥに送信する段階を備える。
【０１３１】
例３８において、例３３から３７のいずれかにおける２５６ＱＡＭソフトバッファサイズの利用を可能とする旨の指示は、ＲＲＣレイヤシグナリングおよびＭＡＣレイヤシグナリングのうち１または複数を含む。
【０１３２】
例３９において、例３３から３８のいずれかの第１のテーブルおよび第２のテーブルはそれぞれ、変調符号化方式インデックスに基づいて変調次数およびトランスポートブロックサイズを選択するようために用いられる変調符号化方式テーブルを含む。第２のテーブルは、第１のテーブルに代えて選択的に用いられるテーブルである。
【０１３３】
例４０において、例３３から３９のいずれかの第１のテーブルは第１の変調符号化方式テーブルを含み、第２のテーブルは第２の変調符号化方式テーブルを含む。当該方法はさらに、第１のチャネル品質指標テーブルおよび第２のチャネル品質指標テーブルを保持する段階を備える。当該方法は、デフォルト変調符号化方式テーブルおよびセカンダリ変調符号化方式テーブルのうち１つを選択し、デフォルトチャネル品質指標テーブルおよびセカンダリチャネル品質指標テーブルのうち１つを選択することによって、複数の選択テーブルを選択する段階を備える。
【０１３４】
例４１は、例２１から４０のいずれかの方法を実行するための手段を備える装置である。
【０１３５】
複数の機械可読命令を備える機械可読ストレージであって、当該機械可読命令が実行されると、例２１から４０のいずれかに記載の方法が実施されるか、または、装置が実現される。
【０１３６】
さまざまな技術またはそれらのうち特定の側面または一部は、有形の媒体で具現化されるプログラムコード（つまり、命令）の形態を取るとしてよい。有形の媒体は、例えば、フロッピー（登録商標）ディスケット、ＣＤ−ＲＯＭ、ハードドライブ、非一時的コンピュータ可読記憶媒体、または、任意のその他の機械可読記憶媒体である。プログラムコードがコンピュータ等の機械にロードされて実行されると、当該機械はさまざまな技術を実施する装置となる。プログラミング可能なコンピュータでプログラムコードを実行する場合、コンピューティングデバイスは、プロセッサと、プロセッサが読み取ることが可能な記憶媒体（揮発性および不揮発性のメモリおよび／または格納素子を含む）と、少なくとも１つの入力デバイスと、少なくとも１つの出力デバイスとを備えるとしてよい。揮発性および不揮発性のメモリおよび／または格納素子は、ＲＡＭ、ＥＰＲＯＭ、フラッシュドライブ、光ドライブ、磁気ハードドライブまたは電子データを格納するためのその他の媒体であってよい。ｅＮＢ（またはその他の基地局）およびＵＥ（またはその他の移動局）はさらに、送受信部、カウンタ部、処理部、および／または、クロック部あるいはタイマ部を有するとしてよい。本明細書で説明するさまざまな技術を実装または利用し得る１または複数のプログラムは、アプリケーションプログラミングインターフェース（ＡＰＩ）、リユーザブルコントロール等を利用するとしてよい。このようなプログラムは、コンピュータシステムと通信させるべく高級プロシージャプログラミング言語またはオブジェクト指向型プログラミング言語で実装されるとしてよい。しかし、プログラムは、所望される場合、アセンブリ言語または機械語で実装されるとしてもよい。いずれの場合も、言語はコンパイラ型言語またはインタプリタ型言語であってよく、ハードウェア実装と組み合わせられるとしてよい。
【０１３７】
本明細書で説明する機能部の多くは１または複数のコンポーネントとして実現され得るものと理解されたい。「コンポーネント」という用語は、実現する際の独立性をより強く強調するために用いている。例えば、一のコンポーネントは、カスタマイズされた超大規模集積（ＶＬＳＩ）回路またはゲートアレイと、ロジックチップ、トランジスタまたはその他のディスクリートコンポーネント等の市販の半導体素子とを備えるハードウェア回路として実現されるとしてよい。一のコンポーネントはまた、複数のプログラミング可能なハードウェアデバイス、例えば、フィールドプログラマブルゲートアレイ、プログラマブルアレイロジック、プログラマブルロジックデバイス等で実現されるとしてもよい。
【０１３８】
コンポーネントはさらに、さまざまな種類のプロセッサで実行されるソフトウェアで実現されるとしてもよい。実行コードのうち特定のコンポーネントは、例えば、コンピュータ命令の１または複数の物理ブロックまたは論理ブロックを含むとしてよい。これは、例えば、オブジェクト、プロシージャまたは関数に編成されるとしてよい。しかし、特定のコンポーネントの複数の実行ファイルは、物理的に同じ位置にある必要はなく、複数の異なる位置に格納されている複数の別個の命令を含むとしてよい。これらの命令は、論理的に一緒に集められることで、コンポーネントを構成し、当該コンポーネントについて記述した目的を実現する。
【０１３９】
実際、実行コードの一のコンポーネントは、一の命令であってもよいし、または、多くの命令であってもよい。複数の異なるコードセグメント、複数の異なるプログラム、および、複数のメモリデバイスに分割されていたとしてもよい。同様に、動作データは、複数のコンポーネント内にあるものとして本明細書で特定および図示されているが、任意の適切な形態で具現化されるとしてよく、任意の適切な種類のデータ構造で整理されるとしてよい。動作データは、一のデータセットとして集めるとしてもよく、または、複数の異なるストレージデバイス等の複数の異なる位置に分散しているとしてもよく、少なくとも一部分がシステムまたはネットワーク上の電子信号として単に存在するとしてもよい。コンポーネントは、受動型または能動型であってよく、所望の機能を実行するよう動作可能なエージェントを含む。
【０１４０】
本明細書において「例」と言及する場合、当該例に関連付けて説明している特定の特徴、構造または特性は本開示の少なくとも１つの実施形態に含まれることを意味する。このため、本明細書において「例において」という表現が繰り返し見られるが、必ずしも全てが同じ実施形態を意味するものではない。
【０１４１】
本明細書で用いる場合、複数のアイテム、構造要素、構成要素、および／または、材料は、便宜上、一般的なリストの形式で提示されるとしてよい。しかし、これらのリストは、当該リストの各要素はそれぞれ別個且つ一意的な要素として特定されるものと解釈されるべきである。したがって、これらのリストに記載する各要素は、特段の明記なく、一の一般的なグループに含まれていることのみを根拠として、同じリストの任意の他の要素の事実上の均等物として解釈されるべきでない。さらに、本開示のさまざまな実施形態および例は、本明細書において、それらのさまざまなコンポーネントの代替例と共に記載するとしてよい。このような実施形態、例および代替例は、互いの事実上の均等物と解釈されるべきではなく、別個且つ独立した本開示の説明として解釈されるべきと理解されたい。
【０１４２】
上述の説明は分かり易いようある程度詳細に記載したが、その原理から逸脱することなく変更および変形を実施し得ることは明らかである。本明細書に記載したプロセスおよび装置の両方を実施する方法としては多くの代替例があることに留意されたい。したがって、本実施形態は例示的なものであり限定的ではないと解釈されたく、本開示は本明細書で記載した詳細な内容に限定されず、請求項の範囲および均等物を逸脱することなく変形し得る。
【０１４３】
当業者であれば、本開示の基礎的な原理から逸脱することなく上述の実施形態の詳細な内容について多くの点で変更し得るものと考えるであろう。本開示の範囲は、このため、以下に記載する請求項によってのみ決定されるべきである。
本実施形態の例を下記の各項目として示す。
［項目１］
複数の利用可能な変調方式についての複数のエントリを持つテーブルを２またはそれ以上保持するテーブル部であって、２またはそれ以上の前記テーブルは、デフォルトテーブルおよびセカンダリテーブルを含み、前記デフォルトテーブルおよび前記セカンダリテーブルは同数のエントリを含み、前記セカンダリテーブルは、２５６直交振幅変調（ＱＡＭ）方式に対応するエントリを含む、テーブル部と、
前記デフォルトテーブルおよび前記セカンダリテーブルのうち１つから選択テーブルを選択するテーブル選択部であって、デフォルトとして前記デフォルトテーブルを利用し、前記セカンダリテーブルの選択を指示するエボルブド・ユニバーサル・テレストリアル・ラジオ・アクセス・ネットワーク（Ｅ−ＵＴＲＡＮ）のＮｏｄｅ  Ｂ（ｅＮＢ）からのメッセージングに応じて前記セカンダリテーブルを選択し、前記メッセージングは、無線リソース制御（ＲＲＣ）レイヤシグナリングおよび媒体アクセス制御（ＭＡＣ）レイヤシグナリングのうち１または複数を含み、さらに、前記ｅＮＢから受信する制御情報についての制御情報フォーマットに基づき前記デフォルトテーブルを選択するテーブル選択部と、
前記選択テーブルから選択される変調符号化方式を示す制御情報を受信する制御情報部と、
前記選択テーブルから選択される前記変調符号化方式に基づき、前記ｅＮＢからの通信を受信して処理する通信部と
を備えるユーザ機器（ＵＥ）。
［項目２］
前記テーブル選択部は、前記制御情報フォーマットがダウンリンク制御情報（ＤＣＩ）フォーマット１Ａを含むことに応じて、前記デフォルトテーブルを選択する
項目１に記載のＵＥ。
［項目３］
前記テーブル選択部はさらに、ターゲットセルへのハンドオーバーに応じて前記デフォルトテーブルを選択する
項目１または２に記載のＵＥ。
［項目４］
前記ＵＥは、２５６ＱＡＭソフトバッファサイズを持つソフトバッファを備え、
前記ＵＥはさらに、前記２５６ＱＡＭソフトバッファサイズを利用する旨の指示を前記ｅＮＢから受信するまで、前記２５６ＱＡＭソフトバッファサイズ未満のソフトバッファサイズを利用するソフトバッファサイズ部を備える
項目１から３のいずれか一項に記載のＵＥ。
［項目５］
前記ｅＮＢからの前記指示は、ＲＲＣレイヤシグナリングまたはＭＡＣレイヤシグナリングを含む
項目４に記載のＵＥ。
［項目６］
前記デフォルトテーブルおよび前記セカンダリテーブルはそれぞれ、変調符号化方式インデックスに基づいてトランスポートブロックサイズおよび変調次数を選択するために用いられる変調符号化方式テーブルを含み、
前記セカンダリテーブルは、前記デフォルトテーブルに代えて選択的に利用されるためのテーブルである
項目１から５のいずれか一項に記載のＵＥ。
［項目７］
前記デフォルトテーブルは、デフォルト変調符号化方式テーブルを含み、前記セカンダリテーブルは、セカンダリ変調符号化方式テーブルを含み、
前記テーブル部はさらに、デフォルトチャネル品質指標テーブルおよびセカンダリチャネル品質指標テーブルを保持し、
前記テーブル選択部はさらに、複数の選択テーブルを選択し、
前記テーブル選択部が前記複数の選択テーブルを選択することは、前記デフォルト変調符号化方式テーブルおよび前記セカンダリ変調符号化方式テーブルのうち１つを選択し、前記デフォルトチャネル品質指標テーブルおよび前記セカンダリチャネル品質指標テーブルのうち１つを選択することを含む
項目１から６のいずれか一項に記載のＵＥ。
［項目８］
モバイル通信デバイスであって、
複数の利用可能な変調方式についての複数のエントリを持つ変調セットを２またはそれ以上保持し、
２またはそれ以上の前記変調セットは、第１の変調セットおよび第２の変調セットを含み、
前記第１の変調セットおよび前記第２の変調セットは、１または複数の共有エントリと、１または複数の非共有エントリとを含み、複数の前記非共有エントリは互いに相対的に昇順または降順にインデックス付与されており、
前記モバイル通信デバイスは、
基地局からのシグナリングに基づいて前記第２の変調セットを選択し、
前記モバイル通信デバイスと前記基地局との間の第１のチャネルおよび第２のチャネルを評価し、
前記第１のチャネルの品質を示すインデックス値および前記第２のチャネルの品質を示す差分インデックス値を前記基地局に送信し、
前記差分インデックス値は、選択テーブルにおいて変調値およびトランスポートブロックサイズインデックスのうち１または複数にしたがって順に並べられた前記第２のテーブルに基づく値を含む
モバイル通信デバイス。
［項目９］
前記第１の変調セットおよび前記第２の変調セットはそれぞれ、チャネル品質指標インデックスに基づき前記ＵＥが推奨する変調符号化レートを示すべく用いられるチャネル品質指標変調セットを含み、
前記第２の変調セットは、前記第１の変調セットに代えて選択的に利用される変調セットである
項目８に記載のモバイル通信デバイス。
［項目１０］
前記第１のチャネルおよび前記第２のチャネルは複数の異なる空間ストリームであること、および、
前記第１のチャネルが広周波数帯域に対応し、前記第２のチャネルは、前記広周波数帯域のサブ周波数帯域に対応すること
のうち１または複数を特徴とする
項目８または９に記載のモバイル通信デバイス。
［項目１１］
前記差分インデックス値は、前記インデックス値と相対的に決まるオフセット値を含む
項目８から１０のいずれか一項に記載のモバイル通信デバイス。
［項目１２］
前記１または複数の共有エントリは、前記第１の変調セットおよび前記第２の変調セットにおいて同じインデックス値を持つ
項目８から１１のいずれか一項に記載のモバイル通信デバイス。
［項目１３］
エボルブド・ユニバーサル・テレストリアル・ラジオ・アクセス・ネットワーク（Ｅ−ＵＴＲＡＮ）のＮｏｄｅ  Ｂ（ｅＮＢ）であって、
複数の利用可能な変調方式についての複数のエントリを持つテーブルを２またはそれ以上、ユーザ機器（ＵＥ）において設定するテーブル設定部であって、２またはそれ以上の前記テーブルは、第１のテーブルと第２のテーブルとを含み、エントリの数は互いに同数であって、前記第１のテーブルおよび前記第２のテーブルは、１または複数の共有エントリおよび１または複数の非共有エントリを含み、前記１または複数の共有エントリは、前記第１のテーブルと前記第２のテーブルとにおいて、同じテーブルインデックス値を持ち、前記第２のテーブルの非共有エントリは、前記第１のテーブルの最も高次の変調方式よりも高次の変調を含む変調方式に対応するエントリを含むテーブル設定部と、
前記第１のテーブルの最も高次の変調方式よりも高次の変調を含む変調方式を前記ＵＥが実行可能であると判断する機能部であって、前記ｅＮＢは、スモールセルにおいて前記ＵＥと通信する機能部と、
不明確期間において利用すべき共有エントリに対応する不明確期間テーブルインデックス値を決定する不明確部と、
前記第１のテーブルおよび前記第２のテーブルのいずれが選択されるかを示す信号を前記ＵＥに送信し、さらに、前記不明確期間において、前記不明確期間テーブルインデックス値を示す信号を前記ＵＥに送信する制御部と
を備えるｅＮＢ。
［項目１４］
前記不明確期間は、前記ｅＮＢが選択テーブルを示す信号を前記ＵＥに送信する時点と、前記選択テーブルを示す前記信号を前記ＵＥが受信した旨を示す信号を前記ＵＥから前記ｅＮＢが受信する時点との間の期間を示す
項目１３に記載のｅＮＢ。
［項目１５］
前記第１のテーブルおよび前記第２のテーブルはそれぞれ、チャネル品質指標インデックスに基づき前記ＵＥが推奨する変調符号化レートを示すべく利用されるチャネル品質指標テーブルを含み、
前記第２のテーブルは、前記第１のテーブルに代えて選択的に利用されるテーブルである
項目１３または１４に記載のｅＮＢ。
［項目１６］
前記ｅＮＢと前記ＵＥとの間のチャネルに基づき推奨される変調符号化レートを示す前記チャネル品質指標インデックスを受信するチャネル評価部と、
前記ＵＥから受信する前記チャネル品質指標インデックスに基づき前記不明確期間テーブルインデックス値を選択する変調符号化方式部と
をさらに備える項目１５に記載のｅＮＢ。
［項目１７］
前記制御部は、２５６ＱＡＭソフトバッファサイズの利用を可能とする指示を含むシグナリングを前記ＵＥに送信する
項目１３から１６のいずれか一項に記載のｅＮＢ。
［項目１８］
２５６ＱＡＭソフトバッファサイズの利用を可能とする旨の前記指示は、無線リソース制御（ＲＲＣ）レイヤシグナリングおよび媒体アクセス制御（ＭＡＣ）レイヤシグナリングのうち１または複数を含む
項目１７に記載のｅＮＢ。
［項目１９］
前記第１のテーブルおよび前記第２のテーブルはそれぞれ、変調符号化方式インデックスに基づいて変調次数およびトランスポートブロックサイズを選択するようために用いられる変調符号化方式テーブルを含み、
前記第２のテーブルは、前記第１のテーブルに代えて選択的に用いられるテーブルである
項目１３から１８のいずれか一項に記載のｅＮＢ。
［項目２０］
前記第１のテーブルは第１の変調符号化方式テーブルを含み、前記第２のテーブルは第２の変調符号化方式テーブルを含み、
前記テーブル部はさらに、第１のチャネル品質指標テーブルおよび第２のチャネル品質指標テーブルを保持し、
前記テーブル選択部はさらに、複数の選択テーブルを選択し、前記テーブル選択部が前記複数の選択テーブルを選択することは、前記デフォルト変調符号化方式テーブルおよび前記セカンダリ変調符号化方式テーブルのうち１つを選択し、前記デフォルトチャネル品質指標テーブルおよび前記セカンダリチャネル品質指標テーブルのうち１つを選択することを含む
項目１３から１９のいずれか一項に記載のｅＮＢ。
【図１】
0006578564.tif 000010
【図２】
0006578564.tif 000011
【図３】
0006578564.tif 000012
【図４】
0006578564.tif 000013
【図５】
0006578564.tif 000014
【図６】
0006578564.tif 000015
【図７】
0006578564.tif 000016
【図８】
0006578564.tif 000017
【図９】
0006578564.tif 000018